(57)【要約】【課題】基地局装置が多数端末装置を収容するグラントフリーの多元接続において、小サイズデータに対する再送制御を効率的に行うことが可能な基地局装置、端末装置及び通信方法を提供すること。【解決手段】基地局装置とグラントフリーで通信を行う端末装置であって、上りリンクデータを送信する送信部と、前記上りリンクデータの再送タイミングを示す情報と前記上りリンクデータに対する送達確認を示す信号を受信する受信部と、を備え、前記再送タイミングを示す情報は、再送のための複数の送信間隔が含まれ、前記送信部は、前記送達確認を示す信号が否定応答を示す送達確認である場合、前記複数の送信間隔から選択した送信間隔によって、前記上りリンクデータを再送する。【選択図】図４
2019145855.tif 000002
【特許請求の範囲】
【請求項１】
基地局装置とグラントフリーで通信を行う端末装置であって、
上りリンクデータを送信する送信部と、
前記上りリンクデータの再送タイミングを示す情報と前記上りリンクデータに対する送達確認を示す信号を受信する受信部と、を備え、
前記再送タイミングを示す情報は、再送のための複数の送信間隔が含まれ、
前記送信部は、前記送達確認を示す信号が否定応答を示す送達確認である場合、前記複数の送信間隔から選択した送信間隔によって、前記上りリンクデータを再送すること、を特徴とする端末装置。
【請求項２】
前記再送タイミングを示す情報は、基準時間とその基準時間に対するオフセット値を含み、
前記オフセット値は、基準時間に対する複数の送信間隔を含み、
前記送信部は、前記送達確認を示す信号が否定応答を示す送達確認である場合、前記オフセット値に含まれる複数の送信間隔から選択した送信間隔によって、前記上りリンクデータを再送すること、を特徴とする請求項１に記載の端末装置。
【請求項３】
前記再送タイミングを示す情報に含まれるオフセット値の範囲は、再送回数が増加するにつれて大きくすること、を特徴とする請求項２に記載の端末装置
【請求項４】
前記送達確認を示す信号は、前記端末装置に固有のパラメータと関連付けられる第１の否定応答を示す送達確認と同一時間リソース及び同一周波数リソースで識別した前記端末装置に共通のパラメータと関連付けられる第２の否定応答を含む送達確認からなり、
前記送信部は、前記第２の否定応答を含む送達確認信号を受信した場合、前記オフセット値に含まれる複数の送信間隔から選択した送信間隔によって、前記上りリンクデータを再送すること、を特徴とする請求項２又は請求項３に記載の端末装置。
【請求項５】
複数の端末装置とグラントフリーで通信を行う基地局装置であって、
上りリンクデータを送信した端末装置を識別する識別信号と前記上りリンクデータを受信する受信部と、
前記上りリンクデータの再送タイミングを示す情報と前記上りリンクデータに対する送達確認を示す信号を送信する送信部と、を備え、
前記再送タイミングを示す情報は、基準時間とその基準時間に対するオフセット値を含み、
前記オフセット値は、基準時間に対する複数の送信間隔を含み、
前記送信部は、ＲＲＣメッセージを用いて、前記基準時間を送信し、前記送達確認を示す信号と共に前記オフセット値を送信すること、を特徴とする基地局装置。
【請求項６】
前記送信部は、前記識別信号により特定された端末装置に対して、前記オフセット値を送信すること、を特徴とする請求項５に記載の基地局装置。
【請求項７】
基地局装置とグラントフリーで通信を行う端末装置の通信方法であって、
上りリンクデータを送信する送信ステップと、
前記上りリンクデータの再送タイミングを示す情報と前記上りリンクデータに対する送達確認を示す信号を受信する受信ステップと、を有し、
前記再送タイミングを示す情報は再送のための複数の送信間隔を含み、
前記送達確認を示す信号が否定応答を示す送達確認である場合、前記複数の送信間隔から選択した送信間隔によって、前記上りリンクデータを再送するステップを有すること、を特徴とする通信方法。
【請求項８】
複数の端末装置とグラントフリーで通信を行う基地局装置の通信方法であって、
上りリンクデータを送信した端末装置を識別する識別信号と前記上りリンクデータを受信する受信ステップと、
前記上りリンクデータの再送タイミングを示す情報と前記上りリンクデータに対する送達確認を示す信号を送信する送信ステップと、を有し、
前記再送タイミングを示す情報は、基準時間とその基準時間に対するオフセット値を含み、
前記オフセット値は、基準時間に対する複数の送信間隔を含み、
前記基準時間はＲＲＣメッセージを用いて送信され、前記オフセット値は前記送達確認を示す信号と共に送信されること、を特徴とする通信方法。
【発明の詳細な説明】
【技術分野】
【０００１】
本発明は、基地局装置、端末装置およびその通信方法に関する。
【背景技術】
【０００２】
３ＧＰＰ（Third Generation Partnership Project）で仕様化されているＬＴＥ（Long
Term Evolution）、ＬＴＥ−Ａ（LTE-Advanced）等の通信システムでは、端末装置（Ｕ
Ｅ：User Equipment）は、スケジューリング要求（ＳＲ：Scheduling Request）やバッファステータスレポート（ＢＳＲ：Buffer Status Report）を使用して、基地局装置（ｅＮｏｄｅＢ；evolved Node B）に、上りリンクデータを送信するための無線リソースを要求する。基地局装置は、ＳＲやＢＳＲを基に、各端末装置に上り送信許可（ＵＬ  Ｇｒａｎｔ）を与える。端末装置は、基地局装置からＵＬ  Ｇｒａｎｔに関する制御情報を受信すると、そのＵＬ  Ｇｒａｎｔに含まれる上りリンク送信パラメータに基づき、所定の無線リソースで上りリンクデータを送信する。
【０００３】
基地局装置は、前記上りリンクデータを正しく受信した場合、前記上りリンクデータ受信から所定の時間後に、下りリンクにおいて肯定応答（ＡＣＫ：Acknowledgement）を端
末装置に送信する。一方、前記上りリンクデータを正しく受信できなかった場合、基地局装置は、前記上りリンクデータ受信から所定の時間後に、否定応答（ＮＡＣＫ：Negative
Acknowledgement）を端末装置に送信する。ＮＡＣＫを受信した端末装置は、その上りリンクデータと関連するデータを再送する。このように、基地局装置は、全ての上りリンクデータ送信（端末装置から基地局装置へのデータ送信）を制御する。基地局装置が上りリンク無線リソースを制御することにより、直交多元接続（ＯＭＡ：Orthogonal Multiple Access）が実現される。
【０００４】
３ＧＰＰでは、第５世代移動通信方式（５Ｇ）として、大量マシン型通信（ｍＭＴＣ：Massive Machine Type Communications）を実現する無線アクセス技術の仕様化が進めら
れている（非特許文献１）。ｍＭＴＣでは、端末装置やセンサ等の多数デバイスが小さいデータを送受信することを想定している。上りリンクｍＭＴＣのために、グラントフリーの非直交多元接続（ＮＯＭＡ：Non-Orthogonal Multiple Access）が検討されている（非特許文献２）。グラントフリー非直交多元接続は、基地局装置の受信アンテナ数を超える端末装置から送信されたデータが空間で非直交多重されること、を許容する。グラントフリー非直交多元接続では、端末装置が、ＳＲ送信やＵＬ  Ｇｒａｎｔ受信等を行うことなく、基地局装置へ上りリンクデータを送信する。このため、グラントフリー非直交多元接続では、多数デバイスが小サイズデータの送受信を行う場合でも、制御情報によるオーバーヘッドの増加を抑えることができる。さらに、グラントフリー非直交多元接続では、ＵＬ  Ｇｒａｎｔ受信等を行わないため、送信データの発生から送信までの時間も短くできる。
【先行技術文献】
【非特許文献】
【０００５】
【非特許文献１】“3rd Generation Partnership Project; Technical Specification Group Radio Access Network; Study on Scenarios and Requirements for Next Generation Access Technologies;(Release 14)”  3GPP TR 38.913 v0.3.0 (2016-03)
【非特許文献２】R1-165595, 3GPP TSG RAN WG1#85 Meeting, Nanjing, China, May 23-27, 2016
【発明の概要】
【発明が解決しようとする課題】
【０００６】
しかしながら、基地局装置が多数端末装置を収容するグラントフリー非直交多元接続では、多数の小サイズの上りリンクデータが送信されることに伴い、これらの上りリンクデータに対するＡＣＫ及びＮＡＣＫの送信も増加する。このため、下りリンク無線リソースが逼迫する。また、グラントフリー非直交多元接続では、端末装置は、ＵＬ  Ｇｒａｎｔ受信することなく、上りリンクデータを送信する。このため、グラントフリー非直交多元接続の再送制御では、上りリンク無線リソースを制御する直交多元接続と異なり、基地局装置は、上りリンクリソース割当て等を制御していない上りリンクデータ（すなわち、いずれの上りリンクリソースで送信されるか把握していない上りリンクデータ）に対して、ＡＣＫ又はＮＡＣＫの送信を行う必要がある。
【０００７】
本発明はこのような事情を鑑みてなされたものであり、その目的は、基地局装置が多数端末装置を収容するグラントフリーの多元接続において、小サイズデータに対する再送制御を効率的に行うことが可能な基地局装置、端末装置及び通信方法を提供することにある。
【課題を解決するための手段】
【０００８】
上述した課題を解決するために本発明に係る基地局装置、端末装置および通信方法の構成は、次の通りである。
【０００９】
（１）本発明の一態様は、基地局装置とグラントフリーで通信を行う端末装置であって、
上りリンクデータを送信する送信部と、前記上りリンクデータの再送タイミングを示す情報と前記上りリンクデータに対する送達確認を示す信号を受信する受信部と、を備え、前記再送タイミングを示す情報は、再送のための複数の送信間隔が含まれ、前記送信部は、前記送達確認を示す信号が否定応答を示す送達確認である場合、前記複数の送信間隔から選択した送信間隔によって、前記上りリンクデータを再送すること、を特徴とする。
【００１０】
（２）また、本発明の一態様は、前記再送タイミングを示す情報は、基準時間とその基準時間に対するオフセット値を含み、前記オフセット値は、基準時間に対する複数の送信間隔を含み、前記送信部は、前記送達確認を示す信号が否定応答を示す送達確認である場合、前記オフセット値に含まれる複数の送信間隔から選択した送信間隔によって、前記上りリンクデータを再送すること、を特徴とする。
【００１１】
（３）また、本発明の一態様は、前記再送タイミングを示す情報に含まれるオフセット値の範囲は、再送回数が増加するにつれて大きくなること、を特徴とする。
【００１２】
（４）また、本発明の一態様は、前記送達確認を示す信号は、前記端末装置固有のパラメータと関連付けられる第１の否定応答を示す送達確認と同一時間リソース及び同一周波数リソースで識別した前記端末装置に共通のパラメータと関連付けられる第２の否定応答を含む送達確認からなり、前記送信部は、前記第２の否定応答を含む送達確認信号を受信した場合、前記オフセット値に含まれる複数の送信間隔から選択した送信間隔によって、前記上りリンクデータを再送すること、を特徴とする。
【００１３】
（５）本発明の一態様は、複数の端末装置とグラントフリーで通信を行う基地局装置であって、上りリンクデータを送信した端末装置を識別する識別信号と前記上りリンクデータを受信する受信部と、前記上りリンクデータの再送タイミングを示す情報と前記上りリンクデータに対する送達確認を示す信号を送信する送信部と、を備え、前記再送タイミングを示す情報は、基準時間とその基準時間に対するオフセット値を含み、前記オフセット値は、基準時間に対する複数の送信間隔を含み、前記送信部は、ＲＲＣメッセージを用い
て、前記基準時間を送信し、前記送達確認を示す信号と共に前記オフセット値を送信すること、を特徴とする。
【００１４】
（６）また、本発明の一態様は、前記送信部は、前記識別信号により特定された端末装置に対して、前記オフセット値を送信すること、を特徴とする。
【００１５】
（７）本発明の一態様は、基地局装置とグラントフリーで通信を行う端末装置の通信方法であって、上りリンクデータを送信する送信ステップと、前記上りリンクデータの再送タイミングを示す情報と前記上りリンクデータに対する送達確認を示す信号を受信する受信ステップと、を有し、前記再送タイミングを示す情報は再送のための複数の送信間隔を含み、前記送達確認を示す信号が否定応答を示す送達確認である場合、前記複数の送信間隔から選択した送信間隔によって、前記上りリンクデータを再送するステップを有すること、を特徴とする。
【００１６】
（８）また、本発明の一態様は、複数の端末装置とグラントフリーで通信を行う基地局装置の通信方法であって、上りリンクデータを送信した端末装置を識別する識別信号と前記上りリンクデータを受信する受信ステップと、前記上りリンクデータの再送タイミングを示す情報と前記上りリンクデータに対する送達確認を示す信号を送信する送信ステップと、を有し、前記再送タイミングを示す情報は、基準時間とその基準時間に対するオフセット値を含み、前記オフセット値は、基準時間に対する複数の送信間隔を含み、前記基準時間はＲＲＣメッセージを用いて送信され、前記オフセット値は前記送達確認を示す信号と共に送信されること、を特徴とする。
【発明の効果】
【００１７】
本発明の一又は複数の態様によれば、基地局装置が多数端末装置を収容するグラントフリーの多元接続において、上りリンクデータに対する再送制御を効率的に行うことができる。
【図面の簡単な説明】
【００１８】
【図１】第１の実施形態に係る通信システムの例を示す図である。
【図２】第１の実施形態に係るスケジューリンググラントを用いた多元接続における基地局装置及び通信装置間のシーケンス例を示す図である。
【図３】第１の実施形態に係るグラントフリーを用いた多元接続における基地局装置及び通信装置間のシーケンス例を示す図である。
【図４】第１の実施形態に係る上りリンクデータ送信に対する端末装置毎のＡＣＫ／ＮＡＣＫ送信例を示す図である。
【図５】第１の実施形態に係る上りリンクデータに対する一括ＡＣＫ／ＮＡＣＫ送信例を示す図である。
【図６】第１の実施形態に係るグラントフリーを用いた多元接続における上りリンク無線フレームフォーマット例を示す図である。
【図７】第１の実施形態における基地局装置の構成を示す概略ブロック図である。
【図８】第１の実施形態に係る信号検出部の一例を示す図である。
【図９】第１の実施形態における端末装置の構成を示す概略ブロック図である。
【図１０】第２の実施形態に係る上りリンクデータに対するＡＣＫ／ＮＡＣＫ送信例を示す図である。
【図１１】第３の実施形態に係る上りリンクデータに対するＡＣＫ／ＮＡＣＫ送信例を示す図である。
【図１２】第４の実施形態に係る上りリンクデータに対するＡＣＫ／ＮＡＣＫ送信例を示す図である。
【図１３】第４の実施形態に係る上りリンクデータに対するＡＣＫ／ＮＡＣＫ送信の別例を示す図である。
【図１４】第４の実施形態に係る上りリンクデータに対するＡＣＫ／ＮＡＣＫ送信の別例を示す図である。
【図１５】第５の実施形態に係る上りリンクデータに対するＡＣＫ／ＮＡＣＫ送信の例を示す図である。
【発明を実施するための形態】
【００１９】
本実施形態に係る通信システムは、基地局装置（セル、スモールセル、サービングセル、コンポーネントキャリア、ｅＮｏｄｅＢ、Ｈｏｍｅ  ｅＮｏｄｅＢ）および端末装置（端末、移動端末、ＵＥ:User Equipment）を備える。該通信システムにおいて、下りリン
クの場合、基地局装置は送信装置（送信点、送信アンテナ群、送信アンテナポート群）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００２０】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。なお、以下では、上りリンクはＤＦＴＳ−ＯＦＤＭ（Discrete Fourier Transform Spread - Orthogonal Frequency Division Multiplexing、SC-FDMAとも称される）伝送を用い、下りリンクはＯＦ
ＤＭ伝送を用いた場合で説明するが、これに限らず、他の伝送方式を適用することができる。
【００２１】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２３】
（第１の実施形態）
図１は、本実施形態に係る通信システムの構成例を示す図である。本実施形態における通信システムは、基地局装置１０、端末装置２０−１〜２０−ｎ（ｎは自然数）を備える。端末装置２０−１〜２０−ｎを総称して端末装置２０とも称する。カバレッジ１０ａは、基地局装置１０が端末装置２０と接続可能な範囲（通信エリア）である（セルとも呼ぶ）。
【００２４】
図１において、基地局装置１０及び端末装置２０は、上りリンクにおいて、グラントフリー（グラントレス、コンテンションベースとも呼ばれる）の多元接続をサポートする。グラントフリー多元接続において、端末装置２０は、基地局装置１０から上りリンク送信許可（ＵＬ  Ｇｒａｎｔ：アップリンクグラント、スケジューリンググラントとも呼ばれる。）の受信に依らず（ＵＬ  Ｇｒａｎｔの受信なしで）、上りリンクデータを送信する。グラントフリー多元接続は、複数の端末装置が送信した上りリンクデータが、時間／周波数／空間リソースにおいて重複（衝突）することを許容する。グラントフリー多元接続
は、端末装置２０が同一時間及び同一周波数で上りリンクデータを送信した場合、端末装置２０が、直交多元接続に加え、非直交多元接続されることを許容する（このため、グラントフリー上りリンク非直交多元接続（ＵＬ−ＮＯＭＡ：UpLink Non-Orthogonal Multiple Access）とも称される）。例えば、非直交多元接続では、基地局装置の受信アンテナ
数を超える端末装置から送信された上りリンクデータ信号が、空間で非直交多重される。なお、基地局装置１０及び端末装置２０は、スケジューリンググラントに基づいて端末装置が上りリンクデータを送信する多元接続もサポートしてもよい。
【００２５】
基地局装置１０は、グラントフリー多元接続された各端末装置が送信した上りリンクデータ信号を検出する。基地局装置１０は、前記上りリンクデータ信号を検出するために、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ）、ターボ等化、送信信号候補の中から最もそれらしいものを探索する最尤検出（ＭＬ：maximum likelihood、Ｒ−ＭＬ：Reduced complexity maximum likelihood）、干渉信号を線形演算によって抑圧するＥＭＭＳＥ−ＩＲＣ（Enhanced Minimum Mean Square Error-Interference Rejection Combining）などを備えても良い。前記各上りリンクデータ信号の送信電力は、基地局装置において受信電力差が生じるように、設定されてもよい。
【００２６】
なお、以下では、グラントフリー多元接続において、基地局装置が、ターボ等化等の高度な受信装置（Advanced Receiver）を適用して、非直交多重された上りリンクデータ信
号を検出する場合で説明するが、上りリンクデータ信号を検出できれば、これに限らない。例えば、ＩＤＭＡ（Interleaved Division Multiple Access）等のインターリーブをベースとした多元接続を用いて、グラントフリー多元接続を行ってもよい。この場合、基地局装置は、上りリンクデータ信号に施されているインターリーブパターンを基に、各端末装置が送信した上りリンクデータ信号を検出する（デインタリーブ処理を行う）。また、コードベースの多元接続を用いて、グラントフリー多元接続を行ってもよい。この場合、基地局装置は、上りリンクデータ信号に乗算されている符号系列（拡散符号）を基に、各端末装置が送信した上りリンクデータ信号を検出する。
【００２７】
図１において、上りリンク無線通信では、以下の上りリンク物理チャネルが含まれる。上りリンク物理チャネルは、上位層から出力された情報を送信するために使用される。
・物理上りリンク制御チャネル
・物理上りリンク共有チャネル
・物理ランダムアクセスチャネル
【００２８】
物理上りリンク制御チャネルは、上りリンク制御情報（ＵＣＩ：Uplink Control Information）を送信するために用いられる物理チャネルである。
【００２９】
上りリンク制御情報は、下りリンクデータ（下りリンクトランスポートブロック、ＤＬ−ＳＣＨ：Downlink-Shared Channel）に対する肯定応答（positive acknowledgement、
ＡＣＫ）／否定応答（negative acknowledgement、ＮＡＣＫ）を含む。ＡＣＫ／ＮＡＣＫは、送達確認を示す信号、ＨＡＲＱ−ＡＣＫ、ＨＡＲＱフィードバックとも称される。
【００３０】
上りリンク制御情報は、下りリンクのチャネル状態情報（ＣＳＩ：Channel State Information）を含む。前記チャネル状態情報は、好適な空間多重数（レイヤ数）を示すラン
ク指標（ＲＩ：Rank Indicator）、好適なプレコーダを示すプレコーディング行列指標（ＰＭＩ：Precoding Matrix Indicator）、好適な伝送レートを指定するチャネル品質指標（ＣＱＩ：Channel Quality Indicator）などを含む。前記ＰＭＩは、端末装置によって
決定されるコードブックを示す。該コードブックは、物理下りリンク共有チャネルのプレコーディングに関連する。前記ＣＱＩは、所定の帯域における好適な変調方式（例えば、ＱＰＳＫ、１６ＱＡＭ、６４ＱＡＭ、２５６ＱＡＭなど）、符号化率（coding rate）と
することができる。
【００３１】
物理上りリンク共有チャネルは、上りリンクデータ（上りリンクトランスポートブロック、UL-SCH）を送信するために用いられる物理チャネルである。物理上りリンク共有チャネルは、下りリンクデータに対するＡＣＫ／ＮＡＣＫおよび／またはチャネル状態情報を送信するために用いられてもよい。物理上りリンク共有チャネルは、上りリンク制御情報を送信するために用いられてもよい。物理上りリンク共有チャネルは、上りリンクデータに巡回冗長検査（ＣＲＣ:Cyclic Redundancy Check）を付加して生成してもよい。物理上りリンク共有チャネルは、グラントフリー／スケジューリンググラントに基づき、送信される。
【００３２】
物理上りリンク共有チャネルは、無線リソース制御（ＲＲＣ：Radio Resource Control）メッセージを送信するために用いられる。ＲＲＣメッセージは、無線リソース制御層において処理される情報／信号である。物理上りリンク共有チャネルは、ＭＡＣ  ＣＥ（Control Element）を送信するために用いられる。ＭＡＣ  ＣＥは、媒体アクセス制御（Ｍ
ＡＣ: Medium Access Control）層において処理（送信）される情報／信号である。例え
ば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。
【００３３】
物理ランダムアクセスチャネルは、ランダムアクセスに用いるプリアンブルを送信するために用いられる。
【００３４】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（ＤＭＲＳ： Demodulation Reference Signal）、サウンディング参照信号（ＳＲＳ： Sounding Reference Signal）が含まれる。
【００３５】
ＤＭＲＳは、物理上りリンク共有チャネルまたは物理上りリンク制御チャネルの送信に関連する。例えば、基地局装置１０は、物理上りリンク共有チャネルまたは物理上りリンク制御チャネルを復調する際の伝搬路補正を行うためにＤＭＲＳを使用する。ＳＲＳは、物理上りリンク共有チャネルまたは物理上りリンク制御チャネルの送信に関連しない。例えば、基地局装置１０は、上りリンクのチャネル状態を測定（CSI Measurement）するた
めにＳＲＳを使用する。
【００３６】
図１において、下りリンクの無線通信では、以下の下りリンク物理チャネルが用いられる。下りリンク物理チャネルは、上位層から出力された情報を送信するために使用される。
・物理報知チャネル
・物理下りリンク制御チャネル
・物理下りリンク共有チャネル
【００３７】
物理報知チャネルは、端末装置で共通に用いられるマスターインフォメーションブロック（Master Information Block: MIB, Broadcast Channel: BCH）を報知するために用い
られる。ＭＩＢは、システム情報である。物理報知チャネルは、ブロードキャストするシ
ステム制御情報を含む。例えば、物理報知チャネルは、下りリンクシステム帯域、システムフレーム番号（ＳＦＮ：System Frame number）、ｅＮＢによって使用される送信アン
テナ数などの情報を含む。物理報知チャネルは、再送要求指示を含むチャネル（ハイブリッド自動再送要求指示を含む）の設定情報を含めてもよい。再送要求指示を含むチャネルの設定情報は、該チャネルの送信リソースに関する情報、送信区間に関する情報、ＡＣＫ／ＮＡＣＫの種類に関する情報、ＡＣＫ／ＮＡＣＫの送信タイミングに関する情報、再送タイミングに関する情報、識別信号を示す情報等を含むことができる。
【００３８】
物理下りリンク制御チャネルは、下りリンク制御情報（ＤＣＩ：Downlink Control Information）を送信するために用いられる。下りリンク制御情報は、用途に基づいた複数のフォーマット（ＤＣＩフォーマットとも称する）が定義される。各フォーマットは、用途に応じて使われる。下りリンク制御情報は、下りリンクデータ送信のための制御情報と上りリンクデータ送信のための制御情報を含む。下りリンク制御情報は、上りリンクデータ（物理上りリンク共有チャネル）の再送に関する情報を含むことができる。
【００３９】
下りリンクデータ送信のためのＤＣＩフォーマットは、物理下りリンク共有チャネルのスケジューリングに用いられる。下りリンクデータ送信のためのＤＣＩフォーマットを、下りリンクグラント（または、下りリンクアサインメント）とも称する。下りリンクデータ送信のためのＤＣＩフォーマットには、物理下りリンク共有チャネルのリソース割り当てに関する情報、物理下りリンク共有チャネルに対するＭＣＳ（Modulation and Coding Scheme）に関する情報などの下りリンク制御情報が含まれる。下りリンクデータ送信のためのＤＣＩフォーマットは、物理上りリンクチャネル（例えば、物理上りリンク制御チャネル、物理上りリンク共有チャネル）に対する送信電力制御（ＴＰＣ：Transmission Power Control）コマンドを含めてもよい。
【００４０】
下りリンクデータ送信のためのＤＣＩフォーマットは、上りリンクデータ（トランスポートブロック、コードワード）に対する再送に関する情報を含めてもよい。上りリンクデータの再送に関する情報は、ＡＣＫ／ＮＡＣＫを示す情報（新規データ指標（ＮＤＩ：New Date Indicator））、再送タイミングを示す情報、再送の周波数リソースを示す情報、ＡＣＫ／ＮＡＣＫの種類に関する情報、ＡＣＫ／ＮＡＣＫの送信タイミングに関する情報、識別信号を示す情報等を含むことができる。
【００４１】
上りリンクデータ送信のためのＤＣＩフォーマットは、物理上りリンク共有チャネルの送信に関する制御情報を端末装置に通知するために用いられる。上りリンクデータ送信のためのＤＣＩフォーマットは、物理上りリンク共有チャネルのＭＣＳに関する情報、上りリンクデータ（物理上りリンク共有チャネル）の再送に関する情報、ＤＭＲＳのためのサイクリックシフトに関する情報、物理上りリンク共有チャネルに対するＴＰＣコマンド、下りリンクのチャネル状態情報（ＣＳＩ：Channel State Information、受信品質情報と
も称する。）要求（CSI request）、など上りリンク制御情報を含むことができる。上り
リンクデータの再送に関する情報は、ＡＣＫ／ＮＡＣＫを示す情報（新規データ指標（ＮＤＩ：New Date Indicator））、物理上りリンク共有チャネルのＲＶ（Redundancy Version）に関する情報、再送タイミングを示す情報、再送の周波数リソースを示す情報、ＡＣＫ／ＮＡＣＫの種類に関する情報、ＡＣＫ／ＮＡＣＫの送信タイミングに関する情報、識別信号を示す情報（例えば、再送時に用いる識別信号）等を含むことができる。前記ＡＣＫ／ＮＡＣＫの送信タイミングは、スケジューリンググラント送信とグラントフリー送信で異なる設定をすることができる。なお、基地局装置が、端末装置にスケジューリンググラントに基づいて上りリンクデータを送信させる場合、上りリンクデータ送信のためのＤＣＩフォーマットは、物理上りリンク共有チャネルのリソース割り当てに関する情報を含むことができる。
【００４２】
物理下りリンク制御チャネルは、下りリンク制御情報に巡回冗長検査（ＣＲＣ:Cyclic Redundancy Check）を付加して生成される。物理下りリンク制御チャネルにおいて、ＣＲＣパリティビットは、所定の識別子を用いてスクランブル（排他的論理和演算、マスクとも呼ぶ）される。例えば、ＣＲＣパリティビットは、識別子として、セル無線ネットワーク一時的識別子（Ｃ−ＲＮＴＩ：Cell- Radio Network Temporary Identifier）を用いて、スクランブルされる。Ｃ−ＲＮＴＩにおいて、スケジューリンググラントのための識別子と区別したグラントフリー送信固有の識別子が定義されてもよい。前記識別子は、グラントフリー送信における端末装置を識別する信号や上りリンクデータ信号を識別する信号と関連付けてもよい。
【００４３】
図１の下りリンク無線通信において、下りリンク物理チャネルは、ＡＣＫ／ＮＡＣＫ送信等の再送要求指示を含む物理チャネル（物理再送要求指示チャネル、物理ＡＣＫ／ＮＡＣＫチャネル、物理送達確認チャネルとも呼ぶ）を含めることができる。物理再送要求指示チャネルは、基地局装置が受信した上りリンクデータ（トランスポートブロック、コードワード）に対するＡＣＫ／ＮＡＣＫ（送達確認）を送信するために用いられる物理チャネルである。物理再送要求指示チャネルは、上りリンクデータに対するＡＣＫ／ＮＡＣＫを示すＨＡＲＱインジケータ（ＨＡＲＱフィードバック、送達確認を示す信号）を送信するために用いることができる。端末装置は、受信したＡＣＫ／ＮＡＣＫを上位レイヤに通知する。ＨＡＲＱインジケータは、正しく受信（検出）されたことを示すＡＣＫ、正しく受信しなかったことを示すＮＡＣＫ、対応するデータがなかったことを示すＤＴＸを含むことができる。物理再送要求指示チャネルは、ＡＣＫ／ＮＡＣＫを示す情報に加え、再送タイミングを示す情報、再送の周波数リソースを示す情報、識別信号を示す情報等の再送に関する情報を含むことができる。
【００４４】
物理再送要求指示チャネルは、ＡＣＫ／ＮＡＣＫを示すビット系列や再送に関する情報を、グラントフリー送信固有の識別子と関連付けることができる。例えば、物理再送要求指示チャネルは、ＡＣＫ／ＮＡＣＫや再送に関する情報を示すビット系列等に、巡回冗長検査（ＣＲＣ）を付加して生成されてもよい。ＣＲＣパリティビットは、グラントフリー送信固有の識別子と関連付けた系列を用いてスクランブル（排他的論理和演算、マスクとも呼ぶ。）される。
【００４５】
別の態様として、物理再送要求指示チャネルは、ＡＣＫ／ＮＡＣＫや再送に関する情報を示すビット系列に、グラントフリー送信固有の識別子と関連付けた系列を乗算して生成することができる。ＡＣＫ／ＮＡＣＫや再送に関する情報を示すビット系列は、グラントフリー送信固有の識別子と関連付けた系列によって拡散される。
【００４６】
グラントフリー送信固有の識別子は、上りリンクデータが送信されたリソースと関連づけられうる。例えば、グラントフリー送信固有の識別子は、上りリンクデータが送信されたサブフレーム番号／スロット番号／シンボル番号／システムフレーム番号と関連付けられる。グラントフリー送信固有の識別子は、上りリンクデータが送信された周波数リソースと関連付けられる。グラントフリー送信固有の識別子と関連付けた系列は、上りリンクデータが送信されたサブフレーム番号／スロット番号／シンボル番号／周波数リソースを用いて（生成パラメータとして）、生成される。基地局装置及び端末装置は、上りリンクデータが送信されたサブフレーム番号／スロット番号／シンボル番号／周波数リソースを用いて、グラントフリー送信固有の識別子を算出する。例えば、グラントフリー送信固有の識別子と関連付けた系列＝１＋上りリンクデータが送信されたサブフレーム番号（０≦サブフレーム番号＜１０）とすると、基地局装置は、上りリンクデータを受信したサブフレーム番号を認識することにより、グラントフリー送信固有の識別子を算出できる。なお、前記グラントフリー送信固有の識別子と関連付けた系列の算出式に、上りリンクデータが送信された周波数リソースを示すインデックスを含めることもできる。
【００４７】
グラントフリー送信固有の識別子は、ＡＣＫ／ＮＡＣＫが送信されるサブフレーム番号／スロット番号／シンボル番号／システムフレーム番号と関連付けられてもよい。グラントフリー送信固有の識別子は、ＡＣＫ／ＮＡＣＫが送信される周波数リソースと関連付けられてもよい。グラントフリー送信固有の識別子と関連付けた系列はＡＣＫ／ＮＡＣＫが送信されるサブフレーム番号／スロット番号／シンボル番号／周波数リソースを用いて、生成される。例えば、グラントフリー送信固有の識別子と関連付けた系列＝１＋ＡＣＫ／ＮＡＣＫが送信されるサブフレーム番号（０≦サブフレーム番号＜１０）とすると、基地局装置は、ＡＣＫ／ＮＡＣＫが送信されるサブフレーム番号を認識することにより、グラントフリー送信固有の識別子を算出できる。なお、前記グラントフリー送信固有の識別子と関連付けた系列の算出式に、ＡＣＫ／ＮＡＣＫが送信される周波数リソースを示すインデックスを含めることもできる。
【００４８】
グラントフリー送信固有の識別子は、識別信号が送信されたリソースと関連づけられうる。例えば、グラントフリー送信固有の識別子は、識別信号が送信されたサブフレーム番号／スロット番号／システムフレーム番号と関連付けられる。グラントフリー送信固有の識別子は、上識別信号が送信された周波数リソースと関連付けられてもよい。グラントフリー送信固有の識別子と関連付けた系列は、識別信号が送信されたサブフレーム番号／スロット番号／周波数リソースを用いて（生成パラメータとして）、生成される。基地局装置及び端末装置は、識別信号が送信されたサブフレーム番号／スロット番号／周波数リソースを用いて、グラントフリー送信固有の識別子を算出する。例えば、グラントフリー送信固有の識別子と関連付けた系列＝１＋識別信号が送信されたサブフレーム番号（０≦サブフレーム番号＜１０）、とすると、基地局装置は、識別信号を受信したサブフレーム番号を認識することにより、グラントフリー送信固有の識別子を算出できる。本実施形態に係る通信システムでは、グラントフリー送信固有の識別子は、多重される端末装置で共通のパラメータを、該識別子の生成パラメータとする。なお、前記グラントフリー送信固有の識別子と関連付けた系列の算出式に、識別信号が送信された周波数リソースを示すインデックスを含めることもできる。
【００４９】
なお、グラントフリー送信固有の識別子は、基地局装置が端末装置に通知することによって、両装置で共有してもよい。例えば、基地局装置は、図３のＳ２０１／Ｓ２０３において、グラントフリー送信固有の識別子（又は該識別子を算出するためのパラメータ）を端末装置に送信する。別の態様として、基地局装置は、下りリンク制御情報を用いて、グラントフリー送信固有の識別子（又は該識別子を算出するためのパラメータ）を端末装置に送信してもよい。
【００５０】
物理再送要求指示チャネルが送信されるリソースは、グラントフリー多元接続において、上りリンクデータが送信されたリソースと関連づけてもよい。例えば、物理再送要求指示チャネルが送信されるリソースは、該リソースの周波数ドメインにおいて、上りリンクデータが送信されたサブフレーム番号／スロット番号／シンボル番号／システムフレーム番号と関連付けられる。物理再送要求指示チャネルが送信されるリソースは、該リソースの周波数ドメインにおいて、上りリンクデータが送信された周波数リソースと関連付けられてもよい。基地局装置及び端末装置は、上りリンクデータが送信されたサブフレーム番号／スロット番号／シンボル番号／周波数リソースインデックスを用いて、物理再送要求指示チャネルが送信されるリソースを算出する。さらに、物理再送要求指示チャネルが送信されるリソースは、該リソースの周波数ドメインにおいて、下りリンクシステム帯域幅（例えば、システム帯域幅のリソースブロック数）と関連付けられてもよい。例えば、物理再送要求指示チャネルが送信されるリソースは、上りリンクデータが送信された周波数リソースブロックのうち最も小さい周波数リソースブロックインデックスを下りリンクシステム帯域幅のリソースブロック数でＭｏｄｕｌｏ演算することで算出される。基地局装
置は、上りリンクデータを受信した周波数リソースを認識することにより、物理再送要求指示チャネルが送信されるリソースを算出できる。
【００５１】
物理再送要求指示チャネルが送信されるリソースは、グラントフリー多元接続において、前記端末装置を識別する信号（識別信号）と関連づけてもよい。例えば、物理再送要求指示チャネルが送信されるリソースは、該リソースの周波数ドメインにおいて、識別信号が送信されたサブフレーム番号／スロット番号／システムフレーム番号と関連付けられる。物理再送要求指示チャネルが送信されるリソースは、該リソースの周波数ドメインにおいて、識別信号が送信された周波数リソースと関連付けられてもよい。基地局装置及び端末装置は、識別信号が送信されたサブフレーム番号／スロット番号／周波数リソースインデックスを用いて、物理再送要求指示チャネルが送信されるリソースを算出する。さらに、物理再送要求指示チャネルが送信されるリソースは、該リソースの周波数ドメインにおいて、下りリンクシステム帯域幅（例えば、システム帯域幅のリソースブロック数）と関連付けられてもよい。例えば、物理再送要求指示チャネルが送信されるリソースは、識別信号が送信された周波数リソースブロックのうち最も小さい周波数リソースブロックインデックスを下りリンクシステム帯域幅のリソースブロック数でＭｏｄｕｌｏ演算することで算出される。基地局装置は、識別信号を受信した周波数リソースを認識することにより、物理再送要求指示チャネルが送信されるリソースを算出できる。
【００５２】
このように、グラントフリー多元接続において、物理再送要求指示チャネルに乗算される系列／物理再送要求指示チャネルにスクランブル（マスク）される系列／物理再送要求指示チャネルに割り当てるリソースを、多重される端末装置の識別信号や上りリンクデータに関するパラメータと関連付けることで、基地局装置及び端末装置は、物理再送要求指示チャネルに関する設定を効率的に共有することができる。
【００５３】
物理再送要求指示チャネルは、グラントフリー送信の上りリンクデータに対する送達確認／スケジューリンググラントに基づいて送信された上りリンクデータに対する送達確認を送信するために用いることができる。物理再送要求指示チャネルは、グラントフリー送信の上りリンクデータに対する送達確認か、スケジューリンググラントに基づいて送信された上りリンクデータに対する送達確認かによって、異なる設定をすることができる。例えば、基地局装置は、いずれか一方の送達確認に拡散符号系列を乗算することで複数ＡＣＫ／ＮＡＣＫを送信する物理再送要求指示チャネルを用い、他方の送達確認に、ＣＲＣ付加により生成される複数ＡＣＫ／ＮＡＣＫを送信する物理再送要求指示チャネルを用いるように設定をしてもよい。なお、物理再送要求指示チャネルは、物理下りリンク制御チャネルの１つのＤＣＩフォーマットに含めてもよい。
【００５４】
物理下りリンク共有チャネルは、下りリンクデータ（下りリンクトランスポートブロック、DL-SCH）を送信するために用いられる。物理下りリンク共有チャネルは、システムインフォメーションメッセージを送信するために用いられる。システムインフォメーションメッセージは、グラントフリー送信固有なシステムインフォメーションブロックを含めてもよい。例えば、グラントフリー送信固有なシステムインフォメーションブロックには、グラントフリー送信を行う上りリンクリソース（周波数帯域等）、ＡＣＫ／ＮＡＣＫを送信する上りリンクリソース、ＡＣＫ／ＮＡＣＫの種類等の設定情報を含めることができる。なお、システムインフォメーションメッセージの一部又は全部は、ＲＲＣメッセージに含めることができる。
【００５５】
物理下りリンク共有チャネルは、ＲＲＣメッセージを送信するために用いられる。ＲＲＣメッセージは、グラントフリー送信に関する設定情報のためのメッセージ（グラントフリー送信設定アシスト情報とも呼ばれる）を含めることができる。基地局装置から送信されるＲＲＣメッセージは、セル内における複数の端末装置に対して共通（セル固有）であ
ってもよい。すなわち、そのセル内のユーザ装置共通な情報は、セル固有のＲＲＣメッセージを使用して送信される。基地局装置から送信されるＲＲＣメッセージは、ある端末装置に対して専用のメッセージ（dedicated signalingとも称する）であってもよい。すな
わち、ユーザ装置スペシフィック（ユーザ装置固有）な情報は、ある端末装置に対して専用のメッセージを使用して送信される。さらに、基地局装置から送信されるＲＲＣメッセージは、グラントフリー送信専用のメッセージであってもよい。すなわち、グラントフリー送信固有な情報は、グラントフリー送信専用のメッセージを用いて送信されるようにしてもよい。
【００５６】
物理下りリンク共有チャネルは、ＭＡＣ  ＣＥを送信するために用いられる。ＲＲＣメッセージおよび／またはＭＡＣ  ＣＥを、上位層の信号（higher layer signaling）とも称する。
【００５７】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５８】
同期信号は、端末装置が、下りリンクの周波数領域および時間領域の同期を取るために用いられる。下りリンク参照信号は、端末装置が、下りリンク物理チャネルの伝搬路補正を行なうために用いられる。例えば、下りリンク参照信号は、物理報知チャネル、物理下りリンク共有チャネル、物理下りリンク制御チャネルを復調するために用いられる。下りリンク参照信号は、端末装置が、下りリンクのチャネル状態情報を算出（ｍｅａｓｕｒｅｍｅｎｔ）するために用いることもできる。また、各種チャネルを復調するために用いられる参照信号とｍｅａｓｕｒｅｍｅｎｔするために用いられる参照信号は異なってもよい（例えば、ＬＴＥにおけるＤＭＲＳ：Demodulation Reference Signal、ＣＲＳ：Cell-specific Reference Signal）。
【００５９】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６０】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００６１】
図２は、本実施形態に係るスケジューリンググラントを用いた多元接続における基地局装置及び通信装置間のシーケンス例を示す図である。基地局装置は、下りリンクにおいて、同期信号、報知チャネルを所定の無線フレームフォーマットに従って、定期的に送信する。端末装置は、同期信号、報知チャネル等を用いて、初期接続を行う（Ｓ１０１）。端末装置は、同期信号を用いて、下りリンクにおけるフレーム同期、シンボル同期を行う。端末装置は、報知チャネルを用いて、下りリンクシステム帯域幅、システムフレーム番号（ＳＦＮ：System Frame Number）、アンテナポート数、物理再送要求を含むチャネルに
関する設定等のシステム情報を特定する。
【００６２】
端末装置は、ＵＥ  Ｃａｐａｂｉｌｉｔｙを送信する（Ｓ１０２）。ＵＥ  Ｃａｐａｂｉｌｉｔｙは、端末装置がサポートする機能を基地局装置に通知する情報である。例えば、前記ＵＥ  Ｃａｐｂｌｉｔｙは、ＲＲＣメッセージ等を用いて、送信される。基地局装置は、無線リソース制御に関する設定情報を端末装置に送信する（Ｓ１０３）。なお、Ｓ１０１〜Ｓ１０３において、端末装置は、上りリンク同期やＲＲＣ接続要求のためのリソースを取得するために、物理ランダムアクセスチャネルを送信することができる。
【００６３】
端末装置は、上りリンクデータが発生した場合、スケジューリングリクエスト（ＳＲ）やバッファステータスレポート（ＢＳＲ）を送信する（Ｓ１０４）。基地局装置は、前記ＢＳＲ等を考慮して、各端末装置に上りリンクデータ送信のための無線リソース割当てを行う。基地局装置は、下りリンク制御情報を用いて、端末装置に上りリンク送信許可（ＵＬ  Ｇｒａｎｔ）を送信する（Ｓ１０５）。端末装置は、前記ＵＬ  Ｇｒａｎｔに含まれる上りリンクの送信パラメータ（上りリンクリソース割当てなど）に基づき、所定の無線リソースで上りリンクデータを送信する（Ｓ１０６）。基地局装置は、前記上りリンクデータに対して、ＡＣＫ／ＮＡＣＫを送信する（Ｓ１０７）。図２のＳ１０７は、ＮＡＣＫを送信した場合である。端末装置は、ＮＡＣＫを受信した場合、その上りリンクデータに関連するデータを再度送信する（Ｓ１０８）。上りリンクデータに関連するデータは、初送で送信した上りリンクデータ（初送で送信したデータビット及びパリティビット）と同一でもよいし、初送で送信していないデータ（初送で送信していないデータビット及びパリティビット）でもよい。また、上りリンクデータに関連するデータは、初送で送信した上りリンクデータと初送で送信していないデータの両方を含むデータでもよい。Ｓ１０８において、ＡＣＫを受信した場合、端末装置は、新しい上りリンクデータを送信（初送）する。
【００６４】
再送の場合、基地局装置は、Ｓ１０６で受信した上りリンクデータ（初送）とＳ１０８で受信した下りリンクデータ（再送）を用いて、信号検出処理を行う。前記検出処理において、基地局装置は、Ｃｈａｓｅ合成、ＩＲ（Incremental Redundancy）を用いることができる。基地局装置は、該検出処理に対して、ＡＣＫ／ＮＡＣＫを送信する（Ｓ１０９）。図２のＳ１０９は、ＡＣＫを送信した場合である。
【００６５】
図３は、本実施形態に係るグラントフリーを用いた多元接続における基地局装置及び通信装置間のシーケンス例を示す図である。基地局装置１０は、下りリンクにおいて、同期信号を所定の無線フレームフォーマットに従って、定期的に送信する。また、基地局装置１０は、報知チャネルを送信する。端末装置は、同期信号、報知チャネル等を用いて、初期接続を行う（Ｓ２０１）。端末装置は、同期信号を用いて、下りリンクにおけるフレーム同期、シンボル同期を行う。端末装置は、報知チャネルを用いて、下りリンクシステム帯域幅、システムフレーム番号、アンテナポート数、物理再送要求を含むチャネルに関する設定等のシステム情報を特定する。前記報知チャネルにグラントフリー送信のための設定情報が含まれている場合、端末装置は、接続したセルにおけるグラントフリー送信のための設定を特定する。グラントフリー送信に関する設定情報は、基地局装置がグラントフリー送信をサポートしていることを示す情報、グラントフリーで送信可能な領域、端末装置識別に関する情報（識別信号を示す情報等）などを含めることができる。
【００６６】
端末装置は、ＵＥ  Ｃａｐａｂｉｌｉｔｙを送信する（Ｓ２０２）。基地局装置は、前記ＵＥ  Ｃａｐａｂｉｌｉｔｙを用いて、端末装置がグラントフリーの多元接続をサポートしているか、を特定することができる。例えば、前記ＵＥ  Ｃａｐｂｉｌｉｔｙは、ＲＲＣメッセージ等を用いて、送信される。なお、Ｓ２０１〜Ｓ２０３において、端末装置は、上りリンク同期やＲＲＣ接続要求のためのリソースを取得するために、物理ランダムアクセスチャネルを送信することができる。
【００６７】
基地局装置は、無線リソース制御に関する設定情報を端末装置に送信する（Ｓ２０３）。前記無線リソース制御のための設定情報は、ＲＲＣメッセージ等を用いて、送信される。前記無線リソース制御に関する設定情報は、グラントフリー送信に関する設定情報を含むこともできる。グラントフリー送信に関する設定情報は、グラントフリーで送信可能な領域、端末装置識別に関する情報、再送タイミングを示す情報、再送の周波数リソースを示す情報、ＡＣＫ／ＮＡＣＫ送信タイミングを示す情報、ＡＣＫ／ＮＡＣＫの種類を示す情報、識別信号を示す情報等を含むことができる。この場合、端末装置は、前記無線リソース制御に関する設定情報を用いて、グラントフリー送信の設定情報を特定する。なお、前記グラントフリー送信に関する設定情報の一部又は全部は、下りリンク制御情報によって、通知されてもよい。
【００６８】
グラントフリー送信をサポートする端末装置は、上りリンクデータが発生した場合、基地局装置からＵＬ  Ｇｒａｎｔを得ることなく、該上りリンクデータを送信する（Ｓ２０４）。Ｓ２０４において、端末装置は、自身に割当てられた識別信号と前記上りリンクデータを送信することができる。基地局装置は、前記識別信号を用いて端末装置を識別し、該端末装置が送信した上りリンクデータを検出する。基地局装置は、前記ＡＣＫ／ＮＡＣＫ送信タイミングを基に、該上りリンクデータに対するＡＣＫ／ＮＡＣＫを送信する（Ｓ２０５）。基地局装置は、該ＡＣＫ／ＮＡＣＫ送信に、物理下りリンク制御チャネル／物理再送要求指示チャネルを用いることができる。基地局装置は、該上りリンクデータを正しく検出した場合、ＡＣＫを端末装置に送信する。一方、基地局装置は、該上りリンクデータを正しく検出できなかった場合、ＮＡＣＫを端末装置に送信する（図３のＳ２０５は、基地局装置がＮＡＣＫを送信した場合である）。基地局装置は、Ｓ２０５において、再送タイミングを示す情報、再送の周波数リソースを示す情報等の再送に関する情報を送信してもよい。Ｓ２０４で同一時間リソース及び周波数リソースで多重された端末装置は、再送において、初送と異なる時間リソース／周波数リソースを用いて送信してもよい。
【００６９】
端末装置は、Ｓ２０５においてＮＡＣＫを受信した場合、その上りリンクデータと同一のデータ（初送で送信したデータビット及びパリティビット）を再度送信する（Ｓ２０６）。再送の上りリンクデータは、初送で送信したデータビット並びにパリティビット及び初送で送信していないデータビット並びにパリティビットの両方を含むデータでもよい。Ｓ２０５において、ＡＣＫを受信した場合、端末装置は、新しい上りリンクデータを送信（初送）する。
【００７０】
再送の場合、基地局装置は、Ｓ２０６で受信した上りリンクデータ（再送）を用いて、検出処理を行う。基地局装置は、該検出処理の結果に基づいて、ＡＣＫ／ＮＡＣＫを送信する（Ｓ２０７）。図２のＳ２０７は、ＡＣＫを送信した場合である。なお、基地局装置は、Ｓ２０４で受信した上りリンクデータ（初送）とＳ２０６で受信した上りリンクデータ（再送）を用いて、検出処理（Chase合成）を行ってもよい。
【００７１】
図２、図３で説明の通り、本実施形態に係る通信システムは、スケジューリンググラントに基づいて送信された上りリンクデータとグラントフリー送信の上りリンクデータで、再送で送信する上りリンクデータを異なるように設定することができる。すなわち、グラントフリー送信の上りリンクデータの再送は、非適応的な再送方式（初送と再送で上りリンクデータの符号化率、変調方式を変更しない方式）を用い、スケジューリンググラントに基づいて送信された上りリンクデータは適応的な再送方式（初送と再送で上りリンクデータの符号化率、変調方式を変更可能な方式）を用いることができる。
【００７２】
図４は、本実施形態に係る上りリンクデータ送信に対する端末装置毎のＡＣＫ／ＮＡＣＫ送信例を示す図である。例えば、該ＡＣＫ／ＮＡＣＫ送信は、スケジューリンググラン
ト送信に用いられる。図４におけるＵＥ１〜ＵＥ５は、端末装置２０−１〜端末装置２０−５の上りリンクデータに対応する。ＡＣＫ／ＮＡＣＫ＃ｍ−ｎは、サブフレーム＃ｍで受信したＵＥ＃ｎに対するＡＣＫ／ＮＡＣＫを示す。例えば、ＡＣＫ／ＮＡＣＫ＃０−１は、サブフレーム＃０で受信したＵＥ１に対するＡＣＫ／ＮＡＣＫを示す。サブフレームは、端末装置が上りリンクデータを割当てるタイムユニットである。
【００７３】
ここで、基地局装置１０の受信アンテナ数が２本、端末装置２０の送信アンテナ数が１本とする。サブフレーム＃０（同一周波数／同一時間）において、ＵＥ１及びＵＥ２が上りリンクデータをＵＬ  Ｇｒａｎｔに従って送信している。サブフレーム＃１において、ＵＥ３及びＵＥ４が上りリンクデータをＵＬ  Ｇｒａｎｔに従って送信している。サブフレーム＃２において、ＵＥ５及びＵＥ６が上りリンクデータをＵＬ  Ｇｒａｎｔに従って送信している。サブフレーム＃３において、ＵＥ３及びＵＥ４が上りリンクデータをＵＬ
Ｇｒａｎｔに従って送信している。
【００７４】
基地局装置１０は、サブフレーム＃０〜＃３で受信した各端末装置の上りリンクデータを検出する。基地局装置は、該上りリンクデータを検出した結果を、所定の送信タイミングで、端末装置毎にＡＣＫ／ＮＡＣＫを送信する。なお、図４は、ＡＣＫ／ＮＡＣＫ＃３―７及びＡＣＫ／ＮＡＣＫ＃３―８の送信タイミングがＡＣＫ／ＮＡＣＫ＃１−３及びＡＣＫ／ＮＡＣＫ＃１−４の送信タイミングの１／２に設定されている場合を示している。図４において、スケジューリンググラントを用いた上りリンクデータに対する端末装置毎のＡＣＫ／ＮＡＣＫ送信で説明したが、グラントフリーを用いた上りリンクデータに対する端末装置毎のＡＣＫ／ＮＡＣＫ送信においても適用することができる。
【００７５】
図５は、本実施形態に係る上りリンクデータに対する一括ＡＣＫ／ＮＡＣＫ送信例を示す図である。例えば、該ＡＣＫ／ＮＡＣＫ送信は、グラントフリー送信に用いられる。図５におけるＵＥ１〜ＵＥ１４は、図１の端末装置２０−１〜端末装置２０−１４の上りリンクデータに対応する。ＡＣＫ／ＮＡＣＫ＃０〜ＡＣＫ／ＮＡＣＫ＃３は各々、サブフレーム＃０〜＃３の上りリンクデータに対するサブフレーム毎のＡＣＫ／ＮＡＣＫである（一括ＡＣＫ／ＮＡＣＫ）。
【００７６】
ここで、基地局装置１０の受信アンテナ数が２本、端末装置２０の送信アンテナ数が１本とする。サブフレーム＃０（同一周波数／同一時間）において、ＵＥ１〜ＵＥ８が上りリンクデータをグラントフリーで送信している。サブフレーム＃１において、ＵＥ９〜ＵＥ１２が上りリンクデータをグラントフリーで送信している。サブフレーム＃２において、基地局装置１０が収容する端末装置は上りリンクデータを送信していない。サブフレーム＃３において、ＵＥ１３〜ＵＥ１４が上りリンクデータをグラントフリーで送信している。サブフレーム＃０、＃１において、基地局装置１０は、受信アンテナ数を超える端末装置から上りリンクデータを受信する（非直交多元接続）。
【００７７】
基地局装置１０は、サブフレーム＃０で受信した各ＵＥの上りリンクデータを検出する。基地局装置は、ＵＥ１〜ＵＥ８の上りリンクデータ全てを正しく検出した場合、下りリンクにおいて、所定の送信タイミング（ＡＣＫ／ＮＡＣＫ＃０）でＡＣＫを送信する（一括ＡＣＫを送信）。一方、基地局装置は、ＵＥ１〜ＵＥ８の上りリンクデータのうち１つでも正しく検出できなかった場合、下りリンクにおいて、所定の送信タイミング（ＡＣＫ／ＮＡＣＫ＃０）でＮＡＣＫを送信する（一括ＮＡＣＫを送信）。
【００７８】
基地局装置１０は、サブフレーム＃１で受信した各上りリンクデータを検出する。基地局装置は、ＵＥ９〜ＵＥ１２の上りリンクデータ全てを正しく検出した場合、下りリンクにおいて、所定の送信タイミング（ＡＣＫ／ＮＡＣＫ＃１）で一括ＡＣＫを送信する。一方、基地局装置は、ＵＥ９〜ＵＥ１２の上りリンクデータのうち１つでも正しく検出でき
なかった場合、下りリンクにおいて、所定の送信タイミング（ＡＣＫ／ＮＡＣＫ＃１）で一括ＮＡＣＫを送信する。基地局装置１０は、サブフレーム＃２において、識別信号／上りリンクデータを検出しなかったため、ＡＣＫ／ＮＡＣＫを送信しない。
【００７９】
基地局装置１０は、サブフレーム＃３で受信した各上りリンクデータを検出する。基地局装置は、ＵＥ１３〜ＵＥ１４の上りリンクデータ全てを正しく検出した場合、下りリンクにおいて、所定の送信タイミング（ＡＣＫ／ＮＡＣＫ＃３）で一括ＡＣＫを送信する。一方、基地局装置は、ＵＥ１３〜ＵＥ１４の上りリンクデータのうち１つでも正しく検出できなかった場合、下りリンクにおいて、所定の送信タイミング（ＡＣＫ／ＮＡＣＫ＃３）で一括ＮＡＣＫを送信する。なお、図５は、ＡＣＫ／ＮＡＣＫ＃３の送信タイミングがＡＣＫ／ＮＡＣＫ＃１の送信タイミングの１／２に設定されている場合を示している。
【００８０】
本実施形態に係る通信システムは、所定の時間単位で受信した上りリンクデータをグループ化し、そのグループ毎に一括ＡＣＫ／ＮＡＣＫを送信する方法を、スケジューリンググラントを用いた上りリンクデータ送信に対しても用いてもよい。一括ＡＣＫ／ＮＡＣＫ送信は、グラントフリー送信の上りリンクデータとスケジューリンググラントに基づいて送信された上りリンクデータが、重複する時間リソース及び周波数リソースで送信された場合にも適用してもよい。例えば、図５において、ＵＥ１、ＵＥ２がスケジューリンググラントに基づいて送信された上りリンクデータであり、ＵＥ３〜ＵＥ８がグラントフリー送信の上りリンクデータである場合、基地局装置は、サブフレーム＃０において、一括ＡＣＫ／ＮＡＣＫを送信する。
【００８１】
本発明の一態様では、グラントフリーの多元接続は、所定の時間単位内に多重された上りリンクデータを送信した端末装置群を１つの端末装置グループとする。基地局装置は、そのグループ対して一括ＡＣＫ／ＮＡＣＫを送信する。これにより、多数端末装置を収容するグラントフリー多元接続において、ＡＣＫ／ＮＡＣＫの送信数の増加による下りリンク無線リソースの逼迫を抑えることができる。また、グラントフリー送信の上りリンクデータに対するＮＡＣＫは、端末装置の識別誤り又は該上りリンクデータの検出誤りのいずれかが予想される。このため、基地局装置が上りリンクデータ送信されるリソースを予めスケジューリングできないグラントフリーの多元接続において、一括ＡＣＫ／ＮＡＣＫを用いることにより、基地局装置及び端末装置は再送制御を効率的に行うことができる。
【００８２】
次に、上りリンクデータの再送タイミング（図３のＳ２０６）の態様について説明する。基地局装置は、システムインフォメーション／ＲＲＣメッセージ／下りリンク制御情報において、上りリンクデータの再送タイミングを示す情報を端末装置に送信する（図３のＳ２０３）。基地局装置は、再送タイミングを示す情報を、物理再送要求指示チャネルを用いて、端末装置に送信することもできる（図３のＳ２０５）。例えば、再送タイミングを示す情報は、Ｓ２０４の上りリンクデータ送信時間（例えば、物理上りリンク共有チャネルが割当てられたサブフレーム端）を基準とする送信間隔（サブフレーム間隔、スロット間隔、フレーム間隔）で設定される。再送タイミングを示す情報は、Ｓ２０５のＡＣＫ／ＮＡＣＫ送信時間（例えば、物理再送要求指示チャネルが割当てられたサブフレーム端）を基準とする送信間隔（サブフレーム間隔、スロット間隔、フレーム間隔）で設定されてもよい。
【００８３】
上りリンクデータの再送タイミングを示す情報は、複数の送信間隔からなる再送タイミング群（例えば、送信間隔＝｛１、２、４、８、・・・｝ｍｓ）とすることができる。Ｓ２０５において、ＮＡＣＫを受信した端末装置は、前記再送タイミング群のうち、何れかの送信間隔を選択する。該端末装置は、選択した再送間隔で上りリンクデータを再送する（Ｓ２０６）。
【００８４】
別の態様として、上りリンクデータの再送タイミングを示す情報は、基準時間と基準時間に対するオフセット値で設定される。例えば、基準時間／基準時間に対するオフセット値は、システムインフォメーション／ＲＲＣメッセージ／下りリンク制御情報／物理再送要求指示チャネルで端末装置に通知される。基地局装置は、基準時間及び基準時間に対するオフセット値は、同一のチャネルで送信してもよいし、異なるチャネルで送信してもよい。例えば、基準時間は、システムインフォメーション／ＲＲＣメッセージで送信され、オフセット値は、下りリンク制御情報／物理再送要求指示チャネルで送信される。チャネル基準時間／基準時間に対するオフセット値は、複数の送信間隔からなる再送タイミング群から構成されてもよい（例えば、基準時間＝｛４、８、１２・・・｝ｍｓ、オフセット値＝｛−２、−１、０、１、２、４、８、・・・｝ｍｓ）。
【００８５】
ここで、基地局装置は、再送タイミング群として、基準時間＝４ｍｓ、オフセット値＝｛−２、−１、０、１、２、４、８、・・・｝ｍｓを端末装置に送信したとする。ＮＡＣＫを受信した端末装置は、前記オフセット値のうち、何れかを選択する。該端末装置は、基準時間＋選択したオフセット値で求められる再送間隔で上りリンクデータを再送する（Ｓ２０６）。前記オフセット値の選択は、端末装置がランダムに選択してもよいし、基地局装置が指示しても良い。
【００８６】
例えば、基地局装置は、ＲＲＣメッセージ等で、再送タイミング群（送信間隔／基準時間及びオフセット値）を各端末装置に通知する。送信間隔／基準時間及びオフセット値は、再送タイミングインデックスにリンクされていてもよい。この場合、基地局装置は、再送タイミングインデックスを各端末装置に通知する。
【００８７】
送信間隔／オフセット値をランダムに選択する設定の場合、ＮＡＣＫを受信した端末装置は、前記再送タイミング群から選択した送信間隔／オフセット値に基づいて、上りリンクデータを再送する。
【００８８】
基地局装置が再送タイミングを指示する設定の場合、ＮＡＣＫを端末装置に通知する基地局装置は、前記再送タイミング群のうち、１つ又は複数の送信間隔／オフセット値を、物理再送要求指示チャネルを用いて、各端末装置に送信する。送信間隔／オフセット値を受信した端末装置は、該送信間隔／オフセット値に基づいて、上りリンクデータを再送する。基地局装置は、ＮＡＣＫを通知する端末装置間で異なる送信間隔／オフセット値を通知することができる。なお、再送タイミングインデックスを受信した端末装置は、該再送タイミングインデックスにリンクされている送信間隔／オフセット値に基づいて、上りリンクデータを再送する。
【００８９】
基地局装置は、端末装置毎に異なる再送タイミングを設定することができる。例えば、基地局装置は、端末装置毎に異なる再送タイミング群を設定する。基地局装置は、端末装置毎に異なる基準時間、基準時間に対するオフセット値を設定する。
【００９０】
本実施形態に係る通信システムは、前記再送タイミング群の範囲を、再送回数に応じて可変することができる。例えば、基地局装置は、再送回数が増加するにつれて、前記再送タイミング群の範囲を広くすることができる。基地局装置は、再送回数が増加するにつれて、前記オフセット値の範囲を広くすることができる。
【００９１】
同一時間リソースで送信された上りリンクデータにして、ＮＡＣＫを各端末装置に通知する場合、基地局装置は、前記端末装置の再送において、端末装置間で異なる送信電力／拡散符号／インターリーブパターン／復調用参照信号を用いて、上りリンクデータを送信するようにしてもよい。この場合、前記送信電力／拡散符号／インターリーブパターン／復調用参照信号は、上りリンクデータを再送する端末装置間で、直交性が保たれることが
好ましい。物理再送要求指示チャネルは、前記送信電力／拡散符号／インターリーブパターン／復調用参照信号を含めることができる。
【００９２】
以上により、グラントフリーの多元接続において、同一時間リソース及び同一周波数リソースで多重（衝突）された上りリンクデータ（初送）が、再送において多重（衝突）されることを避けることができる。なお、基地局装置は、物理再送要求指示チャネルでＡＣＫを送信する場合において、該物理再送要求指示チャネルに再送タイミングを示す情報を含めてもよい。これにより、基地局装置は、次に送信される上りリンクデータ（初送）のために、該端末装置に対する再送タイミングを更新することができる。
【００９３】
図６は、本実施形態に係るグラントフリーを用いた多元接続における上りリンク無線フレームフォーマット例を示す図である。図３において、無線フレームは、１０つのサブフレームで構成される。各サブフレームは、２つのスロットからなる。各スロットは、７つのＳＣ−ＦＤＭＡシンボルからなる。すなわち、各サブフレームは、１４つのＳＣ−ＦＤＭＡシンボルからなる。図６において、第１のスロットには、識別信号がＳＣ−ＦＤＭＡシンボル毎に配置される。第２のスロットには、上りリンクデータが配置される。例えば、各端末装置の上りリンクデータは、スロット単位で割当てられる（各端末装置の上りリンクデータは、第２のスロットに亘って、送信される）。すなわち、本実施形態に係る通信システムは、第１のスロットで識別信号０〜６を割当てられた端末装置の上りリンクデータが、第２のスロットにおいて、非直交多重されることを許容する。
【００９４】
識別信号は、上りリンクデータを送信した端末装置を基地局装置が識別（特定）するために用いられる。端末装置は、識別信号によって、上りリンクデータを送信したこと、上りリンクデータを送信したリソース（時間リソース／周波数リソース）を、基地局装置に通知することができる。識別信号は、基地局装置及び端末装置において予め定められた既知系列が用いられる。例えば、図３において、識別信号として、ＳＣ−ＦＤＭＡシンボル毎に異なる既知系列を割当てた場合、７つの端末装置を識別することができる。該既知系列は、さらに、予め定められた位相回転、巡回遅延（cyclic shift）、インターリーブ、ＯＣＣ（Orthogonal Cover Code）等が施されてもよい。基地局装置は、既知系列のパタ
ーン、位相回転パターン、巡回遅延パターン（Cyclic shiftパターン）、インターリーブパターン、ＯＣＣパターンによって、端末装置を識別することができる。これらにより、識別できる端末装置数を増やすことができる。
【００９５】
基地局装置は、第１のスロットにおいて、いずれの端末装置が上りリンクデータを送信したか、を識別する。例えば、基地局装置は、各シンボルにおいて、識別信号系列を用いた相関処理により、識別処理を行う。各端末装置は、識別信号系列と関連付けられている（例えば、図３のＳ２０３の無線リソース設定情報で通知する）。基地局装置は、上りリンクデータを送信した端末装置が存在すると判断した場合、第２のスロットにおいて、該端末装置の上りリンクデータの検出処理を行う。前記上りリンクデータは、識別信号と関連づけることができる。例えば、識別信号を用いてスクランブル（排他的論理和演算、マスクとも呼ぶ。）されたＣＲＣが上りリンクデータに付加される。なお、前記各サブフレームのうち、いずれかのＳＣ−ＦＤＭＡシンボルに参照信号を配置することができる。前記参照信号は、基本となる既知系列に前記識別信号のいずれかで乗算してもよい。基地局装置は、該参照信号を用いて、基地局装置と送信端末装置間の伝搬路推定を行う。基地局装置は、前記伝搬路推定値を用いて、上りリンクデータのターボ等化等の信号検出を行うことができる。
【００９６】
図７は、本実施形態における基地局装置１０の構成を示す概略ブロック図である。基地局装置１０は、上位層処理部（上位層処理ステップ）１０１、制御部（制御ステップ）１０２、送信部（送信ステップ）１０３、受信部（受信ステップ）１０４、送信アンテナ１
０５、受信アンテナ１０６を含んで構成される。送信部１０３は、上位層処理部１０１から入力される論理チャネルに応じて、端末装置２０への送信信号（物理下りリンクチャネル）を生成する。送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、及び無線送信部（無線送信ステップ）１０３５を含んで構成される。受信部１０４は、物理上りリンクチャネルの検出し、その内容を上位層処理部１０１に入力する。受信部１０４は、無線受信部（無線受信ステップ）１０４１、多重分離部（多重分離ステップ）１０４２、信号検出部（信号検出ステップ）１０４３、伝搬路推定部（伝搬路推定ステップ）１０４４及び識別部（識別ステップ）１０４５を含んで構成される。
【００９７】
上位層処理部１０１は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部１０１は、送信部１０３および受信部１０４の制御を行なうために必要な情報を生成し、制御部１０２に出力する。上位層処理部１０１は、上りリンクデータ（例えば、ＤＬ−ＳＣＨ）、報知情報（例えば、ＢＣＨ）、ハイブリッド自動再送要求（Hybrid Automatic Request）インジケータ（ＨＡＲＱインジケータ）などを送信部１０３に出力する。
【００９８】
上位層処理部１０１は、端末装置の機能（UE capability）等、端末装置に関する情報
を端末装置２０（受信部１０４を介して）から受信する。端末装置は、自身の機能を基地局装置に上位層の信号で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００９９】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【０１００】
前記端末装置に関する情報には、グラントフリー送信（グラントフリー通信）をサポートすることを示す情報が含まれる。グラントフリー送信に対応する機能が複数ある場合、端末装置は、機能毎にサポートするかどうかを示す情報を送信することができる。グラントフリー送信に対応する機能は、アンテナポート、スクランブリングアイデンティティ及びレイヤ数を示す複数のテーブルに対応している能力、所定数のアンテナポート数に対応している能力、所定の送信モードに対応している能力の一部又は全部である。送信モードは、アンテナポート数、送信ダイバーシチ、レイヤ数、グラントフリー送信のサポート等により定められる。所定の送信モードに対応している能力とは、例えば、ＦＤＤフォーマットにおけるグラントフリー送信に対応可能であることやＴＤＤフォーマットにおけるグラントフリー送信に対応可能であること、などを含めることができる。例えば、ＦＤＤ／ＴＤＤフォーマットが複数ある場合、端末装置は、端末装置に関する情報として、いずれのＦＤＤ／ＴＤＤフォーマットをサポートしているかを示す情報を送信することもできる。
【０１０１】
上位層処理部１０１は、受信部１０４から物理上りリンク共有チャネルの検出結果（復
号後の上りリンクデータ（ＣＲＣも含む））を取得する。上位層処理部１０１は、前記検出を基に、各端末装置が送信した上りリンクデータに対して誤り検出を行う。例えば、該誤り検出はＭＡＣ層で行われる。
【０１０２】
上位層処理部１０１は、誤り検出結果に基づいて、ＨＡＲＱインジケータ（ＡＣＫ／ＮＡＣＫを示すビット系列）を生成する。上りリンクデータに対するＨＡＲＱインジケータは、端末装置毎（図４）／サブフレーム毎（図５）に出力される。上位層処理部１０１は、ＨＡＲＱインジケータを送信部１０３に出力する。例えば、ＡＣＫの場合、「１」、ＮＡＣＫの場合「０」の各１ビットが出力される。ＨＡＲＱインジケータは、物理再送要求指示チャネルの生成に用いられる。
【０１０３】
上位層処理部１０１は、ブロードキャストするシステム制御情報を生成、又は上位ノードから取得する。上位層処理部１０１は、前記ブロードキャストするシステム制御情報を送信部１０３に出力する。前記ブロードキャストするシステム制御情報は、基地局装置がグラントフリー送信をサポートすることを示す情報を含めることができる。前記ブロードキャストするシステム制御情報は、送信部１０３において、物理報知チャネル／物理下りリンク共有チャネルに配置される。
【０１０４】
上位層処理部１０１は、物理下りリンク共有チャネルに配置される下りリンクデータ（トランスポートブロック）、システムインフォメーション（ＳＩＢ：System Information
Block））、ＲＲＣメッセージ、ＭＡＣ  ＣＥなどを生成、又は上位ノードから取得し、送信部１０３に出力する。上位層処理部１０１は、これらの上位層の信号にグラントフリー送信のセットアップ、リリースを示すパラメータを含めることができる。上位層処理部１０１は、端末装置２０の各種設定情報の管理をする。前記各種設定情報は、グラントフリー送信のセットアップ、リリースを示すパラメータを含めることができる。
【０１０５】
上位層処理部１０１は、グラントフリー送信をサポートしている端末装置に対して、各端末装置への識別信号の割当てを決定することもできる。上位層処理部１０１は、各端末装置への識別信号割当てに関する情報を、前記ＲＲＣメッセージに含めることができる。識別信号割当てに関する情報は、識別信号系列を生成するために必要なパラメータ（識別信号に乗算されている位相回転、巡回遅延、インターリーブ、ＯＣＣ等）を含むことができる。上位層処理部１０１は、識別信号割当てに関する情報を、制御部１０２／送信部１０３に出力する。各なお、無線リソース制御の機能の一部は、ＭＡＣレイヤや物理レイヤで行われてもよい。
【０１０６】
上位層処理部１０１は、各端末装置のためのセル無線ネットワーク一時的識別子（Ｃ−ＲＮＴＩ：Cell Radio Network Temporary Identifier）を設定する。セル無線ネットワ
ーク一時的識別子には、グラントフリー送信固有の識別子が含まれる。前記識別子は、下りリンク制御チャネル、下りリンクデータチャネル、物理再送要求指示チャネルの暗号化（スクランブリング）に用いられる。前記識別子は、物理再送要求指示チャネルに乗算される系列に用いることもできる。前記識別子は、識別信号、上りリンクデータチャネル、上りリンク制御チャネルの暗号化（スクランブリング）に用いることができる。上位層処理部１０１は、前記識別子に関する設定情報を、制御部１０２／送信部１０３／受信部１０４に出力する。
【０１０７】
上位層処理部１０１は、物理チャネル（物理下りリンク共有チャネル、物理上りリンク共有チャネル）の符号化率、変調方式（あるいはＭＣＳ）および送信電力（識別信号と物理上り共有チャネルの電力比、参照信号と識別信号の電力比等）などを決定する。上位層処理部１０１は、前記符号化率／変調方式／送信電力比を制御部１０２／送信部１０３／受信部１０４に出力する。上位層処理部１０１は、前記符号化率／変調方式／送信電力比
を上位層の信号に含めることができる。
【０１０８】
制御部１０２は、上位層処理部１０１から入力された各種設定情報に基づいて、送信部１０３および受信部１０４の制御を行なう制御信号を生成する。制御部１０２は、上位層処理部１０１から入力された情報に基づいて、下りリンク制御情報（ＤＣＩ）を生成し、送信部１０３に出力する。制御部１０２は、下りリンク制御情報に、上りリンクデータの再送に関する情報を含むことができる。なお、スケジューリンググラントを用いてデータ送信する場合、下りリンク制御情報は、物理下りリンク共有チャネル／物理上りリンク共有チャネルのリソース割当てフィールド、を含む。
【０１０９】
生成されたＤＣＩフォーマットの制御データ系列に対してＣＲＣ（Cyclic Redundancy Check）が生成される。前記ＣＲＣに対して識別子（例えば、Ｃ−ＲＮＴＩ（Cell-Radio Network Temporary Identifier））による暗号化（スクランブリング）が行われる。前記識別子は、グラントフリー送信固有の識別子を用いることができる。暗号化が行われたＣＲＣがＤＣＩフォーマットに付加される。ＤＣＩフォーマットとして生成された信号はＰＤＣＣＨに配置される。なお、制御部１０２の機能は、上位層処理部１０１に含めることができる。
【０１１０】
送信部１０３は、制御部１０２から入力された制御信号に従って、下りリンク参照信号を生成する。送信部１０３は、各端末装置のために、上位層処理部１０１から入力された報知情報、下りリンク制御情報、下りリンクデータ及びＨＡＲＱインジケータ等を符号化および変調し、物理報知チャネル、物理再送要求指示チャネル、物理下りリンク制御チャネル、物理下りリンク共有チャネルを生成する。送信部１０３は、物理報知チャネル、物理再送要求指示チャネル、物理下りリンク制御チャネル、物理下りリンク共有チャネル及び下りリンク参照信号を多重して、送受信アンテナ１０５を介して端末装置に送信する。
【０１１１】
符号化部１０３１は、上位層処理部１０１から入力された報知情報、下りリンク制御情報、下りリンクデータ及びＨＡＲＱインジケータを、予め定められた／上位層処理部１０１が決定した符号化方式を用いて、ブロック符号化、畳み込み符号化、ターボ符号化などの符号化（リピティションを含む）を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４Ｑ
ＡＭ、２５６ＱＡＭ等の予め定められた／上位層処理部１０１が決定した変調方式で変調する。
【０１１２】
下りリンク参照信号生成部１０３３は、端末装置が既知の系列を下りリンク参照信号として生成する。前記既知の系列は、基地局装置１０を識別するための物理セル識別子などの基に予め定められた規則で求まる。
【０１１３】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。多重部１０３４は、設定された周波数リソース及び時間リソース（ＡＣＫ／ＮＡＣＫの送信タイミング）に基づいて、変調部１０３２の出力信号を、物理再送要求指示チャネルが送信されるリソースにマッピングする。なお、ＨＡＲＱインジケータ／それを含む上りリンクデータ再送に関する情報は、下りリンク制御情報の１つとしてもよい。この場合、ＨＡＲＱインジケータ／それを含む上りリンクデータ再送に関する情報を通知するための固有のＤＣＩフォーマットが定義されうる。
【０１１４】
無線送信部１０３５は、多重された変調シンボルなどを逆高速フーリエ変換（Inverse 
Fast Fourier Transform: IFFT）してＯＦＤＭシンボルを生成する。無線送信部１０３５は、前記ＯＦＤＭシンボルにサイクリックプレフィックス（cyclic prefix: CP）を付加
してベースバンドのディジタル信号を生成する。さらに、無線送信部１０３５は、前記ディジタル信号をアナログ信号に変換し、フィルタリングにより余分な周波数成分を除去し、搬送周波数にアップコンバートし、電力増幅し、送信アンテナ１０５に出力して送信する。
【０１１５】
ここで、グラントフリー送信された上りリンクデータに対する物理再送要求指示チャネルの生成例について説明する。
【０１１６】
まず、上位層処理部１０１は、ＨＡＲＱインジケータａｎ（送達確認、ＡＣＫ／ＮＡＣＫ）を送信部１０３に入力する（例えば、ＮＡＣＫの場合、ａｎ＝「０」、ＡＣＫの場合、ａｎ＝「１」）。ｎは、ＨＡＲＱインジケータを送信する単位によって決まる。端末装置毎にＡＣＫ／ＮＡＣＫを送信する場合、ｎは端末装置２０−ｎの上りリンクデータに対するＡＣＫ／ＮＡＣＫである。サブフレーム毎に一括したＡＣＫ／ＮＡＣＫを送信する場合、ｎはサブフレームｎで送信された上りリンクデータに対するＡＣＫ／ＮＡＣＫである。
【０１１７】
拡散符号系列を乗算することで複数ＡＣＫ／ＮＡＣＫを送信する物理再送要求指示チャネルの生成例を説明する。符号部１０３１は、前記ＨＡＲＱインジケータに対してリピティションをしてもよい。例えば、３回リピティションする場合、ＮＡＣＫ「０」、ＡＣＫ「１」は各々、「０００」、「１１１」とリピティションされる。変調部１０３２は、符号部１０３１の出力データに対して、データ変調（例えば、ＢＰＳＫ変調）を行う。さらに、変調部１０３２は、前記データ変調後のデータに、所定の系列（拡散系列）を乗算する（前記データ変調後のデータは、所定の系列によって拡散される）。該系列は、直交系列（又は準直交系列）を用いることができる。前記系列は、グラントフリー送信固有の識別子と関連付けることができる。例えば、グラントフリー送信固有の識別子は、前記直交系列の生成パラメータとされる。例えば、前記直交系列は、グラントフリー送信固有の識別子に基づいてサイクリックシフトされる。さらに、多重部１０３４は、設定された周波数リソース及び時間リソース（ＡＣＫ／ＮＡＣＫの送信タイミング）に基づいて、変調部１０３２の出力信号を、物理再送要求指示チャネルが送信されるリソースにマッピングする。多重部１０３４は、同一の周波数リソース及び時間リソースにおいて、複数の物理再送要求指示チャネルを符号多重することができる。
【０１１８】
別の態様として、ＣＲＣ付加により物理再送要求指示チャネルを生成する場合を説明する。上位層処理部１０１は、ＨＡＲＱインジケータを含む上りリンクデータ再送に関する情報のビット系列にＣＲＣパリティビットを付加する。上位層処理部１０１は、複数のＨＡＲＱインジケータを含む上りリンクデータ再送に関する情報に対して、ＣＲＣパリティビットを付加してもよい。ＣＲＣ付加後のビット系列は、「ｘ０、ｘ１、・・・ｘｑ−１、ｐ０、ｐ１、・・・ｐｒ−１」と示される（ｘはＨＡＲＱインジケータのビット系列、ｐはＣＲＣパリティビット系列、ｑはＡＣＫ／ＮＡＣＫのトータルビット数、ｒはＣＲＣパリティビット数である）。
【０１１９】
同一送信タイミングの複数ＡＣＫ／ＮＡＣＫに対して、ＣＲＣパリティビットを付加する。図５において、サブフレーム＃５で送信されるＡＣＫ／ＮＡＣＫ＃１及びＡＣＫ／ＮＡＣＫ＃３のＡＣＫ／ＮＡＣＫビット（各１ビット）及びＡＣＫ／ＮＡＣＫ＃１及びＡＣＫ／ＮＡＣＫ＃３のための上りリンクデータ再送に関する情報のビット系列に対して、ＣＲＣパリティビットを付加する。上位層処理部１０１は、ＣＲＣパリティビットを、グラントフリー送信固有の識別子を用いてスクランブル（マスク）する。
【０１２０】
例えば、基地局装置は、ＨＡＲＱインジケータｘのビット系列長（又はＡＣＫ／ＮＡＣＫ格納フィールド数）を、上りリンクのサブフレーム数に基づいて設定することができる。一括ＡＣＫ／ＮＡＣＫ送信において、ＨＡＲＱインジケータｘのビット系列長ｑ＝サブフレーム数ｍ×ＨＡＲＱインジケータのビット数Ｌとなる。サブフレーム数ｍ＝１０の場合、ＣＲＣ付加後のビット系列「ｘ０、ｘ１、ｘ２、ｘ３、・・・、ｘｑ−１、ｐ０、ｑ１、・・・ｑｒ−１」は、「ａ０、ａ１、ａ２、ａ３、・・・、ａ９、ｐ０、ｑ１、・・・ｑｒ−１」となる。ａｍ（ｍは上りリンクデータの送信サブフレーム番号）は、上りリンクデータに対するＡＣＫ／ＮＡＣＫビット（ＨＡＲＱインジケータビット）である。この場合、ＨＡＲＱインジケータｘは、１ビットからなる１０個のＡＣＫ／ＮＡＣＫフィールドを有する。図５のサブフレーム＃５におけるＡＣＫ／ＮＡＣＫ送信において、ＡＣＫ／ＮＡＣＫ＃１は「ａ１」に格納される。ＡＣＫ／ＮＡＣＫ＃３は、「ａ３」に格納される。その他のビット（ａ１、ａ３以外）には、ダミービットが格納されてもよい。この場合、端末装置は、上りリンクデータを送信したサブフレーム番号を基に、該上りリンクデータに対するＡＣＫ／ＮＡＣＫを取得する。なお、基地局装置は、各上りリンクデータに対するＡＣＫ／ＮＡＣＫの格納フィールドインデックスを、ＲＲＣメッセージ／下りリンク制御チャネル等を用いて、端末装置に通知することもできる。
【０１２１】
上位層処理部１０１は、上記ＣＲＣパリティビット「ｐ０、ｐ１、・・・ｐｒ−１」をグラントフリー送信固有の識別子と関連付けた系列などの多重される端末装置で共通のパラメータを用いてスクランブル（マスク）する。例えば、図５において、ＣＲＣパリティビット長＝１６ビット、グラントフリー送信固有の識別子と関連付けた系列＝１＋ＡＣＫ／ＮＡＣＫが送信されるサブフレーム番号の場合、サブフレーム＃５で送信されるＡＣＫ／ＮＡＣＫのＣＲＣパリティビットは、「０００００００００００００１１０」の系列でスクランブルする。
【０１２２】
符号部１０３１は、前記ＣＲＣパリティビットを付加した複数ＡＣＫ／ＮＡＣＫのビット系列に対して、誤り訂正符号化（レートマッチングを含む）を行う。変調部１０３２は、前記符号部１０３１の出力信号に対してデータ変調を行う。多重部１０３４は、設定された周波数リソース及び時間リソース（ＡＣＫ／ＮＡＣＫの送信タイミング）に基づいて、変調部１０３２の出力信号を、物理再送要求指示チャネルが送信されるリソースにマッピングする。なお、変調部１０３２の出力データは、さらに、スクランブルされてもよい。このスクランブルパターンは、グラントフリー送信固有の識別子と関連付けてもよい。本実施形態に係る通信システムにおいて、グラントフリー送信／スケジューリンググラントに基づく送信は、上記２つの態様により生成された物理再送要求指示チャネルの両方を用いてもよい。
【０１２３】
以上のように、グラントフリー送信における上りリンクデータに対するＡＣＫ／ＮＡＣＫは、多重される端末装置に共通のパラメータで生成されたグラントフリー送信固有の識別子や拡散系列（直交系列や準直交系列）と関連付けられる。一方、スケジューリンググラントに基づいて送信された上りリンクデータに対するＡＣＫ／ＮＡＣＫは、端末装置固有の識別子や端末装置固有のパラメータで生成された拡散系列と関連づけられる。端末装置固有の識別子は、各端末装置に割当てられるＣ−ＲＮＴＩなどを含む。端末装置固有のパラメータは、ＤＭＲＳのための巡回遅延、ＯＣＣなどを含む。
【０１２４】
受信部１０４は、制御部１０２から入力された制御信号に従って、受信アンテナ１０６を介して端末装置２０からの受信信号を検出（分離、復調、復号）し、復号した情報を上位層処理部１０１に出力する。制御部１０２は、識別部１０４５から端末装置の識別結果（識別した端末装置に施されている識別子など）を取得し、上位層処理部１０１に出力する。制御部１０２は、識別された端末装置に対する上りリンクデータ再送に関する情報を取得する。制御部１０２は、該上りリンクデータ再送に関する情報に基づいて、送信部１
０３を制御する。
【０１２５】
無線受信部１０４１は、受信アンテナ１０６を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１０４１は、変換したディジタル信号からＣＰに相当する部分を除去する。無線受信部１０４１は、ＣＰを除去した信号に対して高速フーリエ変換（Fast Fourier
Transform: FFT）を行い、周波数領域の信号を抽出する。前記周波数領域の信号は、多
重分離部１０４２に出力される。さらに、無線受信部１０４１は、ＣＰを除去した信号を識別部１０４５に出力する。
【０１２６】
識別部１０４５は、受信信号から識別信号を抽出する。識別部１０４５は、識別信号を用いて、グラントフリーで上りリンクデータを送信した端末装置を識別（特定）する。識別部１０４５は、その送信端末装置に関する情報を伝搬路推定部１０４４と多重分離部１０４２に出力する。例えば、送信端末装置の識別は、基地局装置１０が保持する識別信号系列と前記抽出した識別信号系列との相関処理を用いて、ブラインド検出を行う。
【０１２７】
多重分離部１０４２は、無線受信部１０４１から入力された信号を上りリンクデータチャネル及び上りリンク制御チャネルなどの信号に分離する。多重分離部１０４２は、前記識別部１０４５で識別された送信端末装置に関する情報（識別信号に関連付けられた上りリンクデータチャネル割当て情報など）を用いて、周波数領域信号を上りリンクデータチャネル、上りリンク制御チャネル、参照信号に分離する。前記分離された参照信号は、伝搬路推定部１０４４に入力される。前記分離された上りリンクデータチャネル及び上りリンク制御チャネルは、信号検出部１０４３に出力する。なお、スケジューリンググラントを用いた上りリンクデータ送信の場合、多重分離部１０４２は、予め基地局装置１０が上位層処理部１０１で決定し、各端末装置２０に通知した上りリンクグラントに含まれる無線リソースの割り当て情報に基づいて、信号分離を行う。
【０１２８】
伝搬路推定部１０４４には、データ信号と時間多重されて送信された参照信号（例えば、ＤＭＲＳ）と識別された送信端末装置に関する情報が入力される。伝搬路推定部１０４４は、参照信号を用いて、周波数応答を推定し、復調用に推定した周波数応答を信号検出部１０４３に出力する。伝搬路推定部１０４４は、ＳＲＳ（Sounding Reference Signal
）が入力された場合、上りリンクスケジューリングで使用される周波数応答を推定することができる。なお、伝搬路推定部１０４４は、伝搬路推定に識別信号を用いることもできる。
【０１２９】
図８は、本実施形態に係る信号検出部の一例を示す図である。信号検出部１０４３は、キャンセル部１５０１、等化部１５０２、ＩＤＦＴ部１５０３−１〜１５０３−ｕ、復調部１５０４−１〜１５０４−ｕ、復号部１５０５−１〜１５０５−ｕ、レプリカ生成部１５０６から構成される（１＜ｕ＜Ｕ、Ｕは、識別部１０４５で識別され、同一時間及び同一周波数において非直交多重／直交多重されている端末装置数）。信号検出部１０４３において、多重分離部１０４２より抽出された各端末装置の受信信号がキャンセル処理部１５０１に入力される。キャンセル処理部１５０１は、レプリカ生成部１５０６から入力されたソフトレプリカを用いて、各受信信号に対してキャンセル処理を行う。等化部１５０２は、伝搬路推定部１０４４より入力された周波数応答よりＭＭＳＥ規範に基づく等化重みを生成する。なお、等化部１５０２は、等化重み生成において、識別信号から算出した周波数応答を用いることもできる。
【０１３０】
等化部１５０２は、該等化重みを、ソフトキャンセル後の信号（キャンセル部１５０１
からの入力信号）に乗算する。等化部１５０２は、等化後の端末装置毎の信号をＩＤＦＴ部１５０３−１〜１５０３−ｕに出力する。ＩＤＦＴ部１５０３−１〜１５０３−ｕは、周波数領域の等化後の受信信号を時間領域信号に変換する。なお、端末装置が送信処理におけるＤＦＴの前又は後において、巡回遅延や位相回転、インターリーブを施している場合、周波数領域等化後の受信信号又は時間領域信号は、巡回遅延や位相回転、インターリーブを元に戻す処理が施される。復調部１５０４−１〜１５０４−ｕには、図示していないが予め通知されている、又は予め決められている変調方式の情報が入力される。復調部１５０４−１〜１５０４−ｕは、前記変調方式の情報に基づき、時間領域信号に対して復調処理を施し、ビット系列のＬＬＲ（Log Likelihood Ratio）を出力する。
【０１３１】
復号部１５０５−１〜１５０５−ｕには、図示していないが予め通知されているもしくは予め決められている符号化率の情報が入力される。復号部１５０５−１〜１５０５−ｕは、前記復調部から出力されたＬＬＲの系列に対して復号処理を行う。逐次干渉キャンセラ（ＳＩＣ: Successive Interference Canceller）やターボ等化等のキャンセル処理を
行うために、復号部１５０５−１〜１５０５−ｕは、復号部出力の外部ＬＬＲもしくは事後ＬＬＲをレプリカ生成部１５０６に出力する。外部ＬＬＲと事後ＬＬＲの違いは、それぞれ復号後のＬＬＲから復号部１５０５−１〜１５０５−ｕに入力される事前ＬＬＲを減算するか、否かである。なお、端末装置が、送信処理において、誤り訂正符号化後の符号化ビット列にパンクチャリング（間引き）やインターリーブ、スクランブルが施している場合、信号検出部１０４３は復号部１５０５−１〜１５０５−ｕに入力するＬＬＲの系列に対してデパンクチャリング（間引きされたビットのＬＬＲに０を挿入）、デインターリーブ（並び換えを元に戻す）、デスクランブルを施す。
【０１３２】
レプリカ生成部１５０６は、各復号部から入力されたＬＬＲ系列を、各端末装置が上りリンクデータに施した変調方式に応じてシンボルレプリカを生成する。さらに、レプリカ生成部１５０６は、前記シンボルレプリカをＤＦＴで周波数領域の信号に変換し、各端末装置が使用したリソースに信号を割り当て、伝搬路推定部１０４４から入力された周波数応答を乗算することでソフトレプリカを生成する。復号部１５０５−１〜１５０５−ｕは、ＳＩＣやターボ等化の繰り返し回数が所定の回数に達した場合、復号後のＬＬＲ系列を硬判定し、上位層処理部１０１に入力する。
【０１３３】
上位層処理部１０１は、前記硬判定結果に含まれる巡回冗長検査（ＣＲＣ: Cyclic Redundancy Check）より誤りビットの有無を判別する。上位層処理部１０１は、識別した端
末装置がＣＲＣをスクランブルした識別子を用いて、前記ＣＲＣに対してデスクランブル（排他的論理和演算）を行う。上位層処理部１０１は、デスクランブル結果から、各端末装置の上りリンクデータを正しく受信したか否か、を判断する。さらに、なお、図８では、ターボ等化処理を用いた信号検出を説明したが、最尤検出、ＥＭＭＳＥ−ＩＲＣなどを用いることもできる。
【０１３４】
図９は、本実施形態における端末装置２０の構成を示す概略ブロック図である。端末装置２０は、上位層処理部（上位層処理ステップ）２０１、制御部（制御ステップ）２０２、送信部（送信ステップ）２０３、受信部（受信ステップ）２０４、送信アンテナ２０５及び受信アンテナ２０６を含んで構成される。送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５、識別信号生成部２０３６を含んで構成される。受信部２０４は、無線受信部（無線受信ステップ）２０４１、多重分離部（多重分離ステップ）２０４２、復調部（復調ステップ）２０４３、復号部（復号ステップ）２０４４を含んで構成される。
【０１３５】
上位層処理部２０１は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０１は、自端末装置がサポートしている端末装置の機能を示す情報（UE Capability）を、送信部２０３に出力する。例えば、自端末装置がサポートし
ている端末装置の機能を示す情報は、グラントフリー送信をサポートすることを示す情報などを含む。上位層処理部２０１は、グラントフリー送信に対応する機能が複数ある場合、機能毎にサポートするかどうかを示す情報を送信することができる。例えば、上位層処理部２０１は、前記自端末装置がサポートしている端末装置の機能を示す情報をＲＲＣ層でシグナリングする。
【０１３６】
上位層処理部１０１は、受信部２０４を介して受信した下りリンク制御情報（ＤＣＩ）を解釈する。上位層処理部１０１は、下りリンク制御情報に含まれるグラントフリー送信に関する情報を解釈することができる。上位層処理部１０１は、グラントフリー送信に関する情報に基づき、受信部２０４、および送信部２０３の制御を行なうために制御情報を生成し、制御部２０２に出力する。
【０１３７】
上位層処理部２０１は、自端末装置の各種設定情報の管理をする。前記各種設定情報の一部は、制御部２０２に入力される。各種設定情報の一部は、受信部２０４を介して基地局装置１０から受信される。前記各種設定情報は、上りリンク無線フレームフォーマットを示す情報を含む。前記各種設定情報は、基地局装置１０から受信したグラントフリー送信に関する設定情報を含む。グラントフリー送信に関する情報には、各端末装置への識別信号の割当てに関する情報、グラントフリー送信固有識別子の設定、グラントフリー送信のセットアップ、リリースを示すパラメータ、上りリンクデータ信号に対するＡＣＫ／ＮＡＣＫの受信タイミング、上りリンクデータ信号の再送タイミング、及びこれらのグラントフリー送信に関する設定情報の変更、識別信号を示す信号などが含まれる。上位層処理部２０１は、グラントフリー送信に関する情報に基づいて、グラントフリーで上りリンクデータ（トランスポートブロック）を送信する無線リソースを管理する。
【０１３８】
上位層処理部２０１は、ユーザの操作等によって生成された上りリンクデータを、送信部２０３に出力する。上位層処理部２０１は、ユーザの操作を介さず（例えば、センサにより取得されたデータ）に生成された上りリンクデータを、送信部２０３に出力することもできる。上位層処理部２０１は、前記上りリンクデータにＣＲＣパリティビットを付加する。前記ＣＲＣパリティビットは、前記上りリンクデータを用いて生成される。前記ＣＲＣパリティビットは、所定の識別子でスクランブル（排他的論理和演算、マスクとも呼ぶ）される。前記識別子として、セル無線ネットワーク一時的識別子が用いられうる。前記無線ネットワーク一時的識別子は、グラントフリーで送信する端末装置固有の識別子を用いてもよい。前記識別子として、自端末装置に割当てられた識別信号系列が用いられうる。前記識別子として、自端末装置に割当てられた識別信号系列に関するパラメータ（位相回転量、巡回遅延量、ＯＣＣパターン、インターリーブパターン）を用いて生成された系列が用いられうる。
【０１３９】
上位層処理部２０１は、受信部２０４を介して、物理再送要求指示チャネルに含まれる上りリンクデータに対するＡＣＫ／ＮＡＣＫ（ＨＡＲＱインジケータ）を取得する。この際、上位層処理部２０１は、前記ＨＡＲＱインジケータに付加されたＣＲＣをマスクしている識別子を用いて、デスクランブル処理（排他的論理和演算）を行う。上位層処理部２０１は、上りリンクデータに対するＡＣＫ／ＮＡＣＫの取得において、該上りリンクデータ／識別信号が送信されたサブフレーム番号等を用いて、物理再送要求指示チャネルに含まれる自分宛のＡＣＫ／ＮＡＣＫを特定することができる。上位層処理部２０１は、基地局装置から通知されたＡＣＫ／ＮＡＣＫ格納フィールドインデックスに基に、自分宛のＡＣＫ／ＮＡＣＫを特定することもできる。
【０１４０】
ＮＡＣＫの場合、上位層処理部２０１は、制御部２０２に該上りリンクデータを再送するための制御情報を入力する。前記再送するための制御情報は、再送タイミングを示す情報、再送の周波数リソースを示す情報、再送のための識別信号を示す情報、物理上りリンク共有チャネルのＲＶ（Redundancy Version）に関する情報、等を含むことができる。制御部２０２は、前記再送するための制御情報に基づいて、送信部２０３を制御する。
【０１４１】
制御部２０２は、上位層処理部２０１から入力された情報に基づいて、上りリンク制御情報（ＵＣＩ）を生成し、送信部２０３に出力する。制御部２０２は、前記ＵＣＩフォーマットのデータ系列に対してＣＲＣ（Cyclic Redundancy Check）を生成することができ
る。前記ＣＲＣに対してＣ−ＲＮＴＩ（Cell-Radio Network Temporary Identifier）に
よる暗号化（スクランブリング）が行われてもよい。前記Ｃ−ＲＮＴＩは、グラントフリー送信の端末固有の識別子を用いることができる。制御部２０２は、前記ＣＲＣに対して、識別信号を用いて暗号化することもできる。暗号化が行われたＣＲＣがＵＣＩフォーマットに付加される。
【０１４２】
受信部２０４は、受信アンテナ２０６を介して基地局装置１０から受信した受信信号を、分離、復調、復号する。受信部２０４は、復号した情報を上位層処理部２０１に出力する。無線受信部２０４１は、受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４１は、変換したディジタル信号からＣＰに相当する部分を除去し、ＣＰを除去した信号に対して高速フーリエ変換を行い、周波数領域の信号を抽出する。
【０１４３】
多重分離部２０４２は、前記抽出した周波数領域の信号を下りリンクチャネル（物理再送要求指示チャネル、物理下りリンク制御チャネル、物理下りリンク共有チャネルおよび下りリンク参照信号に、それぞれ分離する。多重分離部２０４２は、下りリンク参照信号を用いた伝搬路測定から得られた伝搬路推定値に基づいて、下りリンクチャネルの補償を行なう。多重分離部は、各下りリンクチャネルを復調部２０４３に出力する。
【０１４４】
復調部２０４３は、各下りリンクチャネルの変調シンボルそれぞれに対して、ＢＰＳＫ、ＱＰＳＫ、１６ＱＡＭ、６４ＱＡＭ、２５６ＱＡＭ等の予め定められた、または下りリンクグラントで予め通知した変調方式を用いて受信信号の復調を行なう。物理再送要求指示チャネルが識別子／識別信号等により拡散されている場合、復調部２０４３は、復調処理前に、該識別子を用いて逆拡散処理を行う。
【０１４５】
復号部２０４４は、復調された各下りリンクチャネルの符号化ビットを、予め定められた符号化方式の、予め定められた、又は下りリンクグラントで予め通知した符号化率で復号を行ない、復号した下りリンクデータと、下りリンク制御情報、ＨＡＲＱインジケータを上位層処理部２０１へ出力する。
【０１４６】
送信部２０３は、制御部２０２から入力された制御信号に従って、上りリンク参照信号を生成する。送信部２０３は、上位層処理部２０１から入力された上りリンクデータ（トランスポートブロック）や上りリンク制御信号を符号化及び変調して、物理上りリンク制御チャネル及び物理上りリンク共有チャネルを生成する。物理上りリンク制御チャネルは、Ｃ−ＲＮＴＩを用いて暗号化される。グラントフリー送信される物理上りリンク制御チャネルは、識別信号を用いて、暗号化（スクランブリング、排他的論理和演算、マスクとも呼ぶ。）されうる。物理上りリンクデータチャネルは、端末装置固有の識別信号や識別子と関連付けられる。
【０１４７】
送信部２０３は、物理上りリンク制御チャネル、物理上りリンク共有チャネルおよび上りリンク参照信号を多重し、送信アンテナ２０５を介して基地局装置１０に送信する。
【０１４８】
符号化部２０３１は、上位層処理部２０１から入力された上りリンク制御情報、上りリンクデータを畳み込み符号化、ブロック符号化、ターボ符号化等の符号化を行う。
【０１４９】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１５０】
上りリンク参照信号生成部２０３３は、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値などを基に、予め定められた規則（式）で求まる系列を生成する。前記上りインク参照信号は、識別信号と関連づけてもよい。例えば、前記上りリンク参照信号には、識別信号が乗算されてもよい。また、前記予め定められた規則（式）には、識別信号系列生成パラメータが含まれてもよい。
【０１５１】
識別信号生成部２０３６は、グラントフリー送信に関する設定情報に基づいて、予め定められた規則（式）で求まる系列を生成する。例えば、識別信号系列は、Ｍ系列、Ｚａｄｏｆｆ  Ｃｈｕ系列、アダマール系列などの直交系列あるいは準直交系列（疑似直交系列）を用いることができる。さらに、識別信号生成部２０３６は、グラントフリー送信に関する設定情報に基づいて、該識別信号系列に位相回転／巡回遅延／ＯＣＣ／インターリーブを施す。
【０１５２】
多重部２０３４は、上りリンクデータチャネルの変調シンボルを並列に並び替えてから離散フーリエ変換（Discrete Fourier Transform: DFT）する。多重部２０３４は、上り
リンク制御チャネル、上りリンクデータチャネル、識別信号と上りリンク参照信号を送信アンテナポート毎に多重する。つまり、多重部２０３４は、上りリンク制御チャネル、上りリンクデータチャネル、識別信号と上りリンク参照信号を送信アンテナポート毎にリソースエレメントに配置する。
【０１５３】
無線送信部２０３５は、多重された信号を逆高速フーリエ変換（Inverse Fast FourierTransform: IFFT）して、ＳＣ−ＦＤＭＡ方式の変調を行い、ＳＣ−ＦＤＭＡシンボルを
生成する。  無線送信部２０３５は、前記ＳＣ−ＦＤＭＡシンボルにＣＰを付加し、ベースバンドのディジタル信号を生成する。さらに、無線送信部２０３５は、前記ベースバンドのディジタル信号をアナログ信号に変換し、余分な周波数成分を除去し、アップコンバートにより搬送周波数に変換し、電力増幅し、送信アンテナ２０５を介して基地局装置１０に送信する。
【０１５４】
以上のように、本実施形態に係るグラントフリーの多元接続を用いた通信システムにおいて、上りリンクデータは、グラントフリー送信に係る端末装置固有の識別信号や端末装置固有の識別子と関連付けられる。また、上りリンクデータに対するＡＣＫ／ＮＡＣＫは、多重される端末装置に共通のパラメータで生成されたグラントフリー送信固有の識別子と関連付けられる。または、上りリンクデータに対するＡＣＫ／ＮＡＣＫには、端末装置毎ＡＣＫ／ＮＡＣＫや一括ＡＣＫ／ＮＡＣＫが適用される。これにより、基地局装置が上りリンクデータ送信されるリソースを予めスケジューリングできないグラントフリーの多元接続において、基地局装置及び端末装置は、再送制御を効率的に行うことができる。
【０１５５】
（第２の実施形態）
本実施形態は、グラントフリー送信の上りリンクデータとスケジューリンググラントに基づいて送信された上りリンクデータが混在している場合の一例である。本実施形態に係る通信システムは、スケジューリンググラントに基づいて送信された上りリンクデータか、グラントフリー送信された上りリンクデータかによって、端末装置毎ＡＣＫ／ＮＡＣＫと一括ＡＣＫ／ＮＡＣＫを使い分けることができる。本実施形態に係る通信システムは、図１〜図９で説明した基地局装置１０及び端末装置２０で構成される。以下、第１の実施形態との相違点／追加点を主に説明する。
【０１５６】
図１０は、本実施形態に係る上りリンクデータに対するＡＣＫ／ＮＡＣＫ送信例を示す図である。グラントフリー送信の上りリンクデータとスケジューリンググラントに基づいて送信された上りリンクデータが、重複する時間リソース及び周波数リソースで送信される一例である。ＵＥ１〜ＵＥ１４は、端末装置２０−１〜端末装置２０−１４の上りリンクデータに対応する。ＡＣＫ／ＮＡＣＫ＃０〜ＡＣＫ／ＮＡＣＫ＃３は各々、サブフレーム＃０〜＃３の上りリンクデータに対するＡＣＫ／ＮＡＣＫである（各サブフレームにおける一括ＡＣＫ／ＮＡＣＫ）。ＡＣＫ／ＮＡＣＫ＃ｍ−ｎは、サブフレーム＃ｍで受信したＵＥ＃ｎに対するＡＣＫ／ＮＡＣＫを示す（端末装置毎ＡＣＫ／ＮＡＣＫ）。
【０１５７】
ここで、基地局装置１０の受信アンテナ数が２本、端末装置２０の送信アンテナ数が１本とする。図１０において、ＵＥ１、ＵＥ２、ＵＥ１４はスケジューリンググラントに基づいて送信された上りリンクデータである（左上がり斜線）。ＵＥ３〜ＵＥ１３は、グラントフリー送信の上りリンクデータである。
【０１５８】
サブフレーム＃０（同一周波数／同一時間）において、ＵＥ１〜ＵＥ８が上りリンクデータを送信している。サブフレーム＃１において、ＵＥ９〜ＵＥ１２が上りリンクデータを送信している。サブフレーム＃２において、基地局装置１０が収容する端末装置は上りリンクデータを送信していない。サブフレーム＃３において、ＵＥ１３〜ＵＥ１４が上りリンクデータを送信している。サブフレーム＃０、＃１において、基地局装置１０は、受信アンテナ数を超える端末装置から上りリンクデータを受信する（非直交多元接続）。
【０１５９】
基地局装置１０は、サブフレーム＃０で受信した各端末装置の上りリンクデータを検出する。基地局装置は、スケジューリンググラントに基づいて送信されたＵＥ１及びＵＥ２の上りリンクデータに対して、所定の送信タイミングで、端末装置毎にＡＣＫ／ＮＡＣＫを送信する（ＡＣＫ／ＮＡＣＫ＃０−１、ＡＣＫ／ＮＡＣＫ＃０−２）。一方、基地局装置は、グラントフリー送信のＵＥ３〜ＵＥ８の上りリンクデータに対して、所定の送信タイミングで、一括ＡＣＫ／ＮＡＣＫを送信する。具体的には、ＵＥ３〜ＵＥ８の上りリンクデータ全てを正しく検出した場合、下りリンクにおいて、所定の送信タイミング（ＡＣＫ／ＮＡＣＫ＃０）でＡＣＫを送信する（一括ＡＣＫを送信する）。基地局装置は、ＵＥ３〜ＵＥ８の上りリンクデータのうち１つでも正しく検出できなかった場合、下りリンクにおいて、所定の送信タイミング（ＡＣＫ／ＮＡＣＫ＃０）でＮＡＣＫを送信する（一括ＮＡＣＫを送信する）。
【０１６０】
基地局装置１０は、サブフレーム＃１で受信した各上りリンクデータを検出する。ＵＥ９〜ＵＥ１２の上りリンクデータは、グラントフリー送信されている。よって、基地局装置は、ＵＥ９〜ＵＥ１２の上りリンクデータ全てを正しく検出した場合、下りリンクにおいて、所定の送信タイミング（ＡＣＫ／ＮＡＣＫ＃１）で一括ＡＣＫを送信する。一方、基地局装置は、ＵＥ９〜ＵＥ１２の上りリンクデータのうち１つでも正しく検出できなかった場合、下りリンクにおいて、所定の送信タイミング（ＡＣＫ／ＮＡＣＫ＃１）で一括ＮＡＣＫを送信する。基地局装置１０は、サブフレーム＃２において、識別信号／上りリンクデータを検出しなかったため、ＡＣＫ／ＮＡＣＫを送信しない。
【０１６１】
基地局装置１０は、サブフレーム＃３で受信した各上りリンクデータを検出する。ＵＥ１３はグラントフリー送信の上りリンクデータである。よって、基地局装置は、ＵＥ１３の上りリンクデータを正しく検出した場合、下りリンクにおいて、所定の送信タイミング（ＡＣＫ／ＮＡＣＫ＃３）で一括ＡＣＫを送信する。基地局装置は、ＵＥ１３の上りリンクデータを正しく検出できなかった場合、下りリンクにおいて、所定の送信タイミング（ＡＣＫ／ＮＡＣＫ＃３）で一括ＮＡＣＫを送信する。一方、ＵＥ１４はスケジューリンググラントに基づく送信の上りリンクデータである。よって、基地局装置は、ＵＥ１４の上りリンクデータに対して、所定の送信タイミング（ＡＣＫ／ＮＡＣＫ＃３―１４）で端末装置毎にＡＣＫ／ＮＡＣＫを送信する。
【０１６２】
本実施形態に係る基地局装置１０において、上位層処理部１０１は、誤り検出結果に基づいて、ＨＡＲＱインジケータ（ＡＣＫ／ＮＡＣＫを示すビット系列）を生成する。スケジューリンググラントで送信された上りリンクデータに対するＨＡＲＱインジケータは、端末装置毎に出力される（図４）。グラントフリーで送信された上りリンクデータに対するＨＡＲＱインジケータは、サブフレーム毎に出力される（図５）。上位層処理部１０１及び送信部１０３は、拡散符号系列を乗算することで複数ＡＣＫ／ＮＡＣＫを送信する物理再送要求指示チャネルを生成する。この物理再送要求指示チャネルの生成において、送信部１０３は、一括ＡＣＫ／ＮＡＣＫのビット系列を拡散系列する場合、該拡散系列を、多重される端末装置に共通のパラメータで生成されたグラントフリー送信固有の識別子と関連付ける。一方、送信部１０３は、端末装置毎のＡＣＫ／ＮＡＣＫのビット系列を拡散系列する場合、該拡散系列を、グラントフリー送信に係る端末装置固有の識別信号に関するパラメータ（サイクリックシフト値、ＯＣＣ等）や端末装置固有の識別子と関連付ける。
【０１６３】
別の態様として、上位層処理部１０１及び送信部１０３は、ＣＲＣ付加により物理再送要求指示チャネルを生成する。この物理再送要求指示チャネルの生成において、送信部１０３は、一括ＡＣＫ／ＮＡＣＫのビット系列を送信する場合、ＣＲＣパリティビットを、多重される端末装置に共通のパラメータで生成されたグラントフリー送信固有の識別子と関連付ける。例えば、ＣＲＣパリティビットは、該グラントフリー送信固有の識別子によってスクランブル（排他的論理和演算、マスクとも呼ぶ）される。一方、送信部１０３は、端末装置毎のＡＣＫ／ＮＡＣＫのビット系列を送信する場合、ＣＲＣパリティビットを、グラントフリー送信に係る端末装置固有の識別信号や端末装置固有の識別子によってスクランブルする。
【０１６４】
また、物理再送要求指示チャネルが送信されるリソースは、周波数ドメインにおいて、識別信号を生成するために用いたサイクリックシフト値、ＯＣＣ等を用いて設定されてもよい。物理再送要求指示チャネルが送信されるリソースは、識別信号が送信されたサブフレーム／スロット／シンボルを用いて設定されてもよい。
【０１６５】
以上のように、本実施形態に係る通信システムでは、上りリンクデータが、グラントフリー送信か、スケジューリンググラントに基づいて送信かによって、一括又は端末装置毎ＡＣＫ／ＮＡＣＫが選択される。これにより、多数端末装置を収容するグラントフリー多元接続において、ＡＣＫ／ＮＡＣＫの送信数の増加による下りリンク無線リソースの逼迫を抑えることができる。また、基地局装置は、グラントフリー送信における上りリンクデータは、端末装置の識別誤りも含まれることを考慮できるため、基地局装置が上りリンクデータ送信されるリソースを予めスケジューリングできないグラントフリーの多元接続において、基地局装置及び端末装置は、再送制御を効率的に行うことができる。
【０１６６】
なお、本実施形態に係る通信システムは、拡散符号系列を乗算することで複数ＡＣＫ／
ＮＡＣＫを送信する物理再送要求指示チャネルとＣＲＣ付加によりで生成される物理再送要求指示チャネルの両方を用いてもよい。基地局装置は、拡散符号系列を乗算することで複数ＡＣＫ／ＮＡＣＫを送信する物理再送要求指示チャネル（前者）を一括ＡＣＫ／ＮＡＣＫ送信に用い、ＣＲＣ付加によりで生成される物理再送要求指示チャネル（後者）をＵＥ毎ＡＣＫ／ＮＡＣＫ送信に用いるようにしてもよい。
【０１６７】
（第３の実施形態）
本実施形態は、一部の上りリンクデータに対して、一括ＡＣＫ／ＮＡＣＫを適用する場合の例である。本実施形態に係る通信システムでは、上りリンクデータのビット数に応じて、一括ＡＣＫ／ＮＡＣＫが適用される。本実施形態に係る通信システムは、図１〜図９で説明した基地局装置１０及び端末装置２０で構成される。以下、第１の実施形態との相違点／追加点を主に説明する。
【０１６８】
図１１は、本実施形態に係る上りリンクデータに対するＡＣＫ／ＮＡＣＫ送信例を示す図である。ＵＥ１〜ＵＥ１４は、端末装置２０−１〜端末装置２０−１４の上りリンクデータに対応する。ＡＣＫ／ＮＡＣＫ＃０〜ＡＣＫ／ＮＡＣＫ＃３は各々、サブフレーム＃０〜＃３の上りリンクデータに対するＡＣＫ／ＮＡＣＫである（各サブフレームにおける一括ＡＣＫ／ＮＡＣＫ）。ＡＣＫ／ＮＡＣＫ＃ｍ−ｎは、サブフレーム＃ｍで受信したＵＥ＃ｎに対するＡＣＫ／ＮＡＣＫを示す（端末装置毎ＡＣＫ／ＮＡＣＫ）。
【０１６９】
ここで、基地局装置１０の受信アンテナ数が２本、端末装置２０の送信アンテナ数が１本とする。図１１において、ＵＥ１〜ＵＥ１４はスケジューリンググラントに基づいて送信された上りリンクデータであってもよいし、グラントフリー送信の上りリンクデータであってもよい。すなわち、スケジューリンググラントに基づいて送信された上りリンクデータとグラントフリー送信の上りリンクデータが混在する。
【０１７０】
本実施形態の通信システムは、上りリンクデータのサイズが所定の閾値以下の場合に、一括ＡＣＫ／ＮＡＣＫを適用する。閾値は、各端末装置が送信する上りリンクデータのビット数／リソースブロック数で定義することができる。図１１において、ＵＥ１、ＵＥ２、ＵＥ１４は、基地局装置が設定した該閾値より大きいデータサイズの上りリンクデータである。ＵＥ３〜ＵＥ１３は、基地局装置が設定した該閾値以下のデータサイズの上りリンクデータである。基地局装置は、前記閾値を設定し、端末装置に通知する。基地局装置は、該閾値を、ＭＩＢ、ＳＩＢなどのシステムインフォメーションに含めることができる。基地局装置は、前記閾値を、ＲＲＣメッセージに含めてもよい。基地局装置は、前記閾値を、下りリンク制御情報に含めてもよい。
【０１７１】
端末装置は、基地局装置に対して、ＵＥ  Ｃａｐａｂｉｌｉｔｙ／ＲＲＣメッセージ／上りリンク制御情報などを用いて、上りリンク送信データのサイズを明示的に通知することができる。上りリンク送信データのサイズは、識別信号に関するパラメータ（識別信号の系列長、巡回遅延量、など）と関連付けることもできる。例えば、上りリンク送信データの周波数ドメインリソース数（サブキャリア数）と識別信号の系列長を同一に設定する。基地局装置は、識別信号を用いて端末装置を識別することで、暗示的に上りリンク送信データのサイズを認識する。
【０１７２】
サブフレーム＃０（同一周波数／同一時間）において、ＵＥ１〜ＵＥ８が上りリンクデータを送信している。サブフレーム＃１において、ＵＥ９〜ＵＥ１２が上りリンクデータを送信している。サブフレーム＃２において、基地局装置１０が収容する端末装置は上りリンクデータを送信していない。サブフレーム＃３において、ＵＥ１３〜ＵＥ１４が上りリンクデータを送信している。サブフレーム＃０、＃１において、基地局装置１０は、受信アンテナ数を超える端末装置から上りリンクデータを受信する。
【０１７３】
基地局装置１０は、サブフレーム＃０で受信した各端末装置の上りリンクデータを検出する。基地局装置１０は、閾値を超えるデータサイズの上りリンクデータＵＥ１及びＵＥ２に対して、所定の送信タイミングで、端末装置毎にＡＣＫ／ＮＡＣＫを送信する（ＡＣＫ／ＮＡＣＫ＃０−１、ＡＣＫ／ＮＡＣＫ＃０−２）。一方、基地局装置は、閾値以下データサイズの上りリンクデータＵＥ３〜ＵＥ８に対して、所定の送信タイミングで、一括ＡＣＫ／ＮＡＣＫを送信する。具体的には、ＵＥ３〜ＵＥ８の上りリンクデータ全てを正しく検出した場合、下りリンクにおいて、所定の送信タイミング（ＡＣＫ／ＮＡＣＫ＃０）でＡＣＫを送信する（一括ＡＣＫを送信する）。基地局装置は、ＵＥ３〜ＵＥ８の上りリンクデータのうち１つでも正しく検出できなかった場合、下りリンクにおいて、所定の送信タイミング（ＡＣＫ／ＮＡＣＫ＃０）でＮＡＣＫを送信する（一括ＮＡＣＫを送信する）。
【０１７４】
基地局装置１０は、サブフレーム＃１で受信した各上りリンクデータを検出する。上りリンクデータＵＥ９乃至ＵＥ１２のデータサイズは閾値以下である。よって、基地局装置は、ＵＥ９〜ＵＥ１２の上りリンクデータに対して、所定の送信タイミング（ＡＣＫ／ＮＡＣＫ＃１）で、一括ＡＣＫ／ＮＡＣＫを送信する。
【０１７５】
基地局装置１０は、サブフレーム＃３で受信した各上りリンクデータを検出する。上りリンクデータＵＥ１３は閾値以下のデータサイズである。よって、基地局装置は、ＵＥ１３の上りリンクデータに対して、下りリンクにおいて、所定の送信タイミング（ＡＣＫ／ＮＡＣＫ＃３）で一括ＡＣＫ／ＮＡＣＫを送信する。一方、上りリンクデータＵＥ１４は閾値以上のデータサイズである。よって、基地局装置は、ＵＥ１４の上りリンクデータに対して、所定の送信タイミング（ＡＣＫ／ＮＡＣＫ＃３―１４）で端末装置毎にＡＣＫ／ＮＡＣＫを送信する。なお、図１１は、ＡＣＫ／ＮＡＣＫ＃３の送信タイミングがＡＣＫ／ＮＡＣＫ＃１の送信タイミングの１／２に設定されている場合を示している。
【０１７６】
基地局装置１０において、上位層処理部１０１及び送信部１０３は、拡散符号系列を乗算することで複数ＡＣＫ／ＮＡＣＫを送信する物理再送要求指示チャネルを生成する。この物理再送要求指示チャネルの生成において、送信部１０３は、一括ＡＣＫ／ＮＡＣＫのビット系列を拡散系列する場合、該拡散系列を、多重される端末装置に共通のパラメータで生成された識別子と関連付ける。端末装置に共通のパラメータは、上りリンクデータ／識別信号が送信されたサブフレーム番号／スロット番号／シンボル番号／システムフレーム番号／周波数リソースを含むことができる。例えば、拡散系列の生成パラメータに端末装置に共通のパラメータを含める。一方、送信部１０３は、ＵＥ毎のＡＣＫ／ＮＡＣＫのビット系列を拡散系列する場合、端末装置固有の識別信号に関するパラメータや端末装置固有の識別子と関連付ける。端末装置固有の識別信号関するパラメータは、識別信号系列（直交系列／準直交系列）、該識別信号系列に施されている巡回遅延量、ＯＣＣなどを含む。端末装置固有の識別子は、各端末装置に割当てられるＣ−ＲＮＴＩやグラントフリーで送信する端末装置固有の識別子などを含む。
【０１７７】
別の態様として、上位層処理部１０１及び送信部１０３は、ＣＲＣ付加により物理再送要求指示チャネルを生成する。この物理再送要求指示チャネルの生成において、送信部１０３は、一括ＡＣＫ／ＮＡＣＫのビット系列を送信する場合、ＣＲＣパリティビットを、多重される端末装置に共通のパラメータで生成された識別子と関連付ける。例えば、ＣＲＣパリティビットは、該識別子によってスクランブル（排他的論理和演算、マスクとも呼ぶ）される。一方、送信部１０３は、ＵＥ毎のＡＣＫ／ＮＡＣＫのビット系列を送信する場合、ＣＲＣパリティビットを、端末装置固有の識別信号に関するパラメータや端末装置固有の識別子と関連付ける。
【０１７８】
以上のように、本実施形態に係る通信システムでは、一部の上りリンクデータに対して、一括ＡＣＫ／ＮＡＣＫを適用する。具体的には、大きいサイズの上りリンクデータに対して端末装置毎のＡＣＫ／ＮＡＣＫを送信し、小サイズの上りリンクデータに対して一括ＡＣＫ／ＮＡＣＫを送信する。これにより、多数端末装置を収容するグラントフリー多元接続において、ＡＣＫ／ＮＡＣＫの送信数の増加による下りリンク無線リソースの逼迫を抑えることができる。また、サイズの大きい上りリンクデータに対して、ファインなＡＣＫ／ＮＡＣＫを送信するため、サイズの大きい上りリンクデータの再送による上りリンク無線リソースの逼迫を抑えることができる。したがって、本実施形態に係る通信システムでは、グラントフリーの多元接続及びスケジューリングラントの多元接続が混在し、多数の端末装置が収容される場合において、基地局装置及び端末装置は、再送制御を効率的に行うことができる。
【０１７９】
（第４の実施形態）
本実施形態に係る通信システムは、図１〜図１１で説明した基地局装置１０及び端末装置２０で構成される。以下、第１の実施形態〜第３の実施形態との相違点／追加点を主に説明する。
【０１８０】
本実施形態に係る通信システムでは、複数種類の否定応答（ＮＡＣＫ）が用いられる。ＮＡＣＫの種類は、その理由と関連付けられる。一態様として、ＮＡＣＫの理由は、基地局装置が所定時間リソースにおいて識別した端末装置数に関する情報と関連付けられる。例えば、所定時間リソースにおいて、基地局装置が識別した端末装置数が閾値以下かどうか、によって、ＮＡＣＫが区分けされる。
【０１８１】
第１のＮＡＣＫ（第１の否定応答）は、基地局装置が所定時間リソースにおいて識別した端末装置数が閾値以下の場合に送信される。例えば、前記所定時間リソースは、端末装置が上りリンクデータを割当てるタイムユニットであるサブフレーム単位で設定される。前記所定時間リソースは、スロット単位／フレーム単位で設定されてもよい。
【０１８２】
基地局装置は、前記閾値を収容可能な端末装置数に設定することができる。例えば、基地局装置は、基地局装置の受信アンテナ数を用いて、前記閾値を設定することができる。基地局装置は、多重された上りリンクデータのリソースブロック数を用いて、前記閾値を設定することもできる。基地局装置は、識別信号に関するパラメータを用いて、前記閾値を設定することができる。前記識別信号に関するパラメータは、直交系列数（準直交系列数）／巡回遅延パターン数／ＯＣＣパターン数を含むことができる。例えば、前記閾値は、前記識別信号に関するパラメータによって生成できる識別信号数とする。
【０１８３】
基地局装置は、物理再送要求指示チャネルの設定数を用いて、前記閾値を設定することができる。拡散符号系列を乗算することで複数ＡＣＫ／ＮＡＣＫを送信する物理再送要求指示チャネルにおいて、前記物理再送要求指示チャネルの設定数は、物理再送要求指示チャネルの多重数とすることができる。ＣＲＣ付加により生成される物理再送要求指示チャネルにおいて、前記物理再送要求指示チャネルの設定数は、１つの物理再送要求指示チャネルに含めることができる端末装置数（ＣＲＣ生成に用いられるＡＣＫ／ＮＡＣＫ数）とすることができる。基地局装置は、前記閾値を、基地局装置の受信能力に応じた係数を設定してもよい。
【０１８４】
第２のＮＡＣＫ（第２の否定応答）は、基地局装置が所定時間リソースにおいて識別した端末装置数が閾値を超える場合に送信される。基地局装置は、該所定時間リソース及び該閾値に、第１のＮＡＣＫと同様の基準を用いることができる。なお、基地局装置は、基地局装置が所定時間リソースにおいて端末装置を識別しなかった場合に送信される第３のＮＡＣＫを送信してもよい。
【０１８５】
別の態様として、ＮＡＣＫの理由は、再送方法に関する情報／再送データに関する情報と関連づけられうる。例えば、初送の上りリンクデータと再送上りリンクデータの関係によってＮＡＣＫは区分けされる。第１のＮＡＣＫは、少なくとも初送で送信していないデータを含むデータの再送要求をする場合に、送信される。第２のＮＡＣＫは、初送で送信したデータで再送要求をする場合に、再送される。
【０１８６】
別の態様として、ＮＡＣＫの理由は、再送リソースに関する情報／再送タイミングに関する情報と関連づけられうる。例えば、初送と同一時間リソース／周波数リソースで上りリンクデータを再送するか、によってＮＡＣＫは区分けされる。第１のＮＡＣＫは、初送と同一時間リソース／周波数リソースで上りリンクデータの再送要求をする場合に、送信される。第２のＮＡＣＫは、初送と異なる時間リソース／周波数リソースで上りリンクデータの再送要求をする場合に、送信される。
【０１８７】
別の態様として、ＮＡＣＫの理由は、所定時間リソースで受信した上りリンクデータの誤り検出度合と関連づけられうる。例えば、同一時間リソース及び周波数リソースで受信した上りリンクデータの一部又は全部に誤りがあるか、によってＮＡＣＫが区分けされる。第１のＮＡＣＫは、同一時間リソース及び周波数リソースで受信した上りリンクデータの一部に誤りがある場合に、送信される。第２のＮＡＣＫは、同一時間リソース及び周波数リソースで受信した上りリンクデータの全部に誤りがある場合に、送信される。
【０１８８】
別の態様として、ＮＡＣＫの理由は、上りリンクデータに対して、信号検出処理を行ったか、によってＮＡＣＫが区分けされる。第１のＮＡＣＫは、信号検出処理を行った結果、誤りを検出した場合、送信される。第２のＮＡＣＫは、信号検出処理を行わず、端末識別処理を行った結果によって、送信される。なお、ターボ等化等の高度な受信処理を用いて信号検出処理を行ったか、によって、ＮＡＣＫが区分けされてもよい。
【０１８９】
別の態様として、ＮＡＣＫの種類は、一括したＮＡＣＫか、端末装置毎のＮＡＣＫか、と関連づけられうる。第１のＮＡＣＫは、端末装置毎のＮＡＣＫであることを意味する。第２のＮＡＣＫは、所定時間リソースで受信した上りリンクデータに対する一括したＮＡＣＫであること、を意味する。
【０１９０】
ここで、複数種類のＮＡＣＫを含むＡＣＫ／ＮＡＣＫ送信について、ＮＡＣＫの種類に関する設定において、アンテナ本数と端末装置の受信能力が用いられる場合を説明する。ここで、基地局装置１０の受信アンテナ数が２本、端末装置２０の送信アンテナ数が１本とする。前記端末装置数の閾値は、２×α（αは受信能力で設定される係数）とする。以下、基地局装置がα＝３と設定した場合である（閾値＝６）で説明する。
【０１９１】
図１２は、本実施形態に係る上りリンクデータに対するＡＣＫ／ＮＡＣＫ送信例を示す図である。ＵＥ１〜ＵＥ１４は、端末装置２０−１〜端末装置２０−１４の上りリンクデータに対応する。各端末装置は、グラントフリーで上りリンクデータを送信する。ＡＣＫ／ＮＡＣＫ＃０〜ＡＣＫ／ＮＡＣＫ＃３は各々、サブフレーム＃０〜＃３の上りリンクデータに対する一括ＡＣＫ／ＮＡＣＫである。図１２は、第１のＮＡＣＫ及び第２のＮＡＣＫともに、一括ＡＣＫ／ＮＡＣＫを用いて、送信される場合である。
【０１９２】
図１２では、サブフレーム＃０（同一周波数／同一時間）において、上りリンクデータＵＥ１〜ＵＥ８が送信されている。基地局装置は、識別信号を用いて、サブフレーム＃０における上りリンクデータを送信した端末装置を識別する。基地局装置は、ＵＥ１〜ＵＥ８の８つの端末装置を識別する（基地局装置は、サブフレーム＃０の端末装置の多重数を８と認識する）。基地局装置は、サブフレーム＃０の端末装置の多重数が前記所定値（＝
６）を超えていると判断する。この場合、基地局装置は、ＵＥ１〜ＵＥ８に対して、所定の送信タイミング（ＡＣＫ／ＮＡＣＫ＃０）で、第２のＮＡＣＫ（右上がり斜線部）を送信する。
【０１９３】
サブフレーム＃１において、上りリンクデータＵＥ９〜ＵＥ１２が送信されている。基地局装置は、識別信号を用いて、サブフレーム＃０における上りリンクデータを送信した端末装置を識別する。基地局装置は、ＵＥ９〜ＵＥ１２の４つの端末装置を識別する（基地局装置は、サブフレーム＃１の端末装置の多重数を４と認識する）。基地局装置は、サブフレーム＃１の端末装置の多重数が前記所定値（＝６）以下であると判断する。この場合、基地局装置は、識別した端末装置が送信した上りリンクデータＵＥ９〜ＵＥ１２に対して、信号検出部１０４３において、信号検出処理を行う。基地局装置は、ＵＥ９〜ＵＥ１２の上りリンクデータ全てを正しく検出した場合、下りリンクにおいて、所定の送信タイミング（ＡＣＫ／ＮＡＣＫ＃１）でＡＣＫを送信する。一方、基地局装置は、ＵＥ９〜ＵＥ１２の上りリンクデータのうち１つでも正しく検出できなかった場合、下りリンクにおいて、所定の送信タイミング（ＡＣＫ／ＮＡＣＫ＃１）で第１のＮＡＣＫ（網掛け部）を送信する。
【０１９４】
同様に、基地局装置は、サブフレーム＃３において、識別信号を用いて、端末装置を識別する。基地局装置は、サブフレーム＃３において、ＵＥ１３、ＵＥ１４の２つの端末装置を識別し、端末装置の多重数が前記閾値（＝６）以下であると判断する。次に、基地局装置は、識別した端末装置が送信した上りリンクデータＵＥ１３、ＵＥ１４に対して、信号検出処理を行う。基地局装置は、ＵＥ１３及びＵＥ１４の上りリンクデータ全てを正しく検出した場合、所定の送信タイミング（ＡＣＫ／ＮＡＣＫ＃３）でＡＣＫを送信する。一方、基地局装置は、ＵＥ１３及びＵＥ１４の上りリンクデータのうち１つでも正しく検出できなかった場合、所定の送信タイミング（ＡＣＫ／ＮＡＣＫ＃３）で第１のＮＡＣＫ（網掛け部）を送信する。
【０１９５】
図１３は、本実施形態に係る上りリンクデータに対するＡＣＫ／ＮＡＣＫ送信の別例を示す図である。ＡＣＫ／ＮＡＣＫ＃０〜ＡＣＫ／ＮＡＣＫ＃３は各々、サブフレーム＃０〜＃３の上りリンクデータに対する一括ＡＣＫ／ＮＡＣＫである。ＡＣＫ／ＮＡＣＫ＃ｍ−ｎは、サブフレーム＃ｍで受信したＵＥ＃ｎに対するＡＣＫ／ＮＡＣＫである。図１３は、第１のＮＡＣＫは一括ＡＣＫ／ＮＡＣＫを用いて送信され、第２のＮＡＣＫは、端末装置毎ＡＣＫ／ＮＡＣＫを用いて、送信される場合である。
【０１９６】
図１３では、前記閾値に応じて、一括ＡＣＫ／ＮＡＣＫを適用することができる。基地局装置は、端末装置数が前記閾値を超える場合、一括ＡＣＫ／ＮＡＣＫを適用する。基地局装置は、端末装置数が前記閾値以下の場合、端末装置毎ＡＣＫ／ＮＡＣＫを適用する。
【０１９７】
図１３では、基地局装置は、サブフレーム＃０において、ＵＥ１〜ＵＥ８の８つの端末装置を識別する（基地局装置は、サブフレーム＃０の端末装置の多重数を８と認識する）。基地局装置は、サブフレーム＃０の端末装置の多重数が前記閾値（＝６）を超えているため、一括ＡＣＫ／ＮＡＣＫ＃０を送信する。さらに、基地局装置は、ＵＥ１〜ＵＥ８に対して、所定の送信タイミング（ＡＣＫ／ＮＡＣＫ＃０）で、第２のＮＡＣＫ（右上がり斜線部）を送信する。
【０１９８】
基地局装置は、サブフレーム＃１において、識別信号を用いて、ＵＥ９〜ＵＥ１２の４つの端末装置を識別する（基地局装置は、サブフレーム＃１の端末装置の多重数を４と認識する）。基地局装置は、サブフレーム＃１の端末装置の多重数が前記所定値（＝６）以下であるため、端末装置毎のＡＣＫ／ＮＡＣＫを送信する。さらに、基地局装置は、識別した端末装置が送信した上りリンクデータＵＥ９〜ＵＥ１２に対して、信号検出部１０４
３において、信号検出処理を行う。基地局装置は、上りリンクデータＵＥ９〜ＵＥ１２の各々の検出結果に基づいて、各端末装置にＡＣＫ／ＮＡＣＫを送信する（ＡＣＫ／ＮＡＣＫ＃１‐９〜ＡＣＫ／ＮＡＣＫ＃１‐１２）。この場合、基地局装置は、誤りを検出した上りリンクデータに対して第１のＮＡＣＫ（網掛け部）を送信する。
【０１９９】
同様に、基地局装置は、サブフレーム＃３において、識別信号を用いて、端末装置を識別する。サブフレーム＃３において、端末装置の多重数が前記閾値（＝６）以下であるため、基地局装置は、識別した端末装置が送信した上りリンクデータＵＥ１３及びＵＥ１４に対して、信号検出処理を行う。基地局装置は、上りリンクデータＵＥ１３及びＵＥ１４の各々の検出結果に基づいて、端末装置毎ＡＣＫ／ＮＡＣＫを送信する（ＡＣＫ／ＮＡＣＫ＃１‐１３〜ＡＣＫ／ＮＡＣＫ＃１‐１４）。この場合、基地局装置は、誤りを検出した上りリンクデータに対して第１のＮＡＣＫ（網掛け部）を送信する。
【０２００】
以上のように、グラントフリーの多元接続において、基地局装置が収容可能な端末装置数を超える場合、基地局装置は、信号検出処理を行わずにＮＡＣＫを送信する。これにより、多数端末装置が存在する場合でも、基地局装置は、効率的に再送制御を行うことができる。
【０２０１】
図１４は、本実施形態に係る上りリンクデータに対するＡＣＫ／ＮＡＣＫ送信の別例を示す図である。ＡＣＫ／ＮＡＣＫ＃ｍ−ｎは、サブフレーム＃ｍで受信したＵＥ＃ｎに対するＡＣＫ／ＮＡＣＫである。図１４は、第１のＮＡＣＫ及び第２のＮＡＣＫ共に、端末装置毎ＡＣＫ／ＮＡＣＫを用いて、送信される場合である。
【０２０２】
図１４では、基地局装置は、サブフレーム＃０において、ＵＥ１〜ＵＥ８の８つの端末装置を識別する（基地局装置は、サブフレーム＃０の端末装置の多重数を８と認識する）。さらに、基地局装置は、識別した端末装置が送信した上りリンクデータＵＥ１〜ＵＥ８に対して、信号検出部１０４３において、信号検出処理を行う。基地局装置は、上りリンクデータＵＥ９〜ＵＥ１４の各々の検出結果に基づいて、端末装置毎にＡＣＫ／ＮＡＣＫを送信するＡＣＫ／ＮＡＣＫ＃０‐１〜ＡＣＫ／ＮＡＣＫ＃０‐８）。基地局装置は、サブフレーム＃０の端末装置の多重数が前記閾値（＝６）を超えているため、検出結果に誤りがある場合、第２のＮＡＣＫ（右上がり斜線部）を送信する。
【０２０３】
基地局装置は、サブフレーム＃１において、識別信号を用いて、ＵＥ９〜ＵＥ１２の４つの端末装置を識別する。また、基地局装置は、サブフレーム＃３において、識別信号を用いて、ＵＥ１３及びＵＥ１４の２つの端末装置を識別する。基地局装置は、サブフレーム＃１及び＃３の端末装置の多重数が前記所定値（＝６）以下であるため、識別した端末装置が送信した上りリンクデータＵＥ９〜ＵＥ１４に対して、信号検出部１０４３において、信号検出処理を行う。基地局装置は、上りリンクデータＵＥ９〜ＵＥ１４の各々の検出結果に基づいて、端末装置毎にＡＣＫ／ＮＡＣＫを送信する（ＡＣＫ／ＮＡＣＫ＃１‐９〜ＡＣＫ／ＮＡＣＫ＃１‐１２及びＡＣＫ／ＮＡＣＫ＃３‐１３〜ＡＣＫ／ＮＡＣＫ＃３‐１４）。この場合、基地局装置は、誤りを検出した上りリンクデータに対して第１のＮＡＣＫ（網掛け部）を送信する。
【０２０４】
基地局装置は、サブフレーム＃２において、端末装置を識別しないため、ＡＣＫ／ＮＡＣＫを送信しない。ここで、サブフレーム＃２において、上りリンクデータが送信されているにも関わらず、基地局装置１０が識別できなかった場合、該上りリンクデータを送信した端末装置は、該上りリンクデータ送信時間から所定時間経過後、ＮＡＣＫと判断する。この場合、該端末装置は、第２のＮＡＣＫが送信されたとみなして、上りリンクデータを再度送信する。
【０２０５】
なお、基地局装置は、端末装置を識別しないサブフレーム＃２に対しても、上りリンクデータを識別しなかったことを示すＮＡＣＫ（例えば、第３のＮＡＣＫ）を送信してもよい。これにより、該サブフレームで上りリンクデータを送信した端末装置は、自端末装置が識別されなかったことを知ることができる。
【０２０６】
次に、本実施形態に係る物理再送要求指示チャネルの生成例について説明する。上位層処理部１０１は、複数種類のＮＡＣＫを用いたＨＡＲＱインジケータ（送達確認、ＡＣＫ／ＮＡＣＫ）を送信部１０３に入力する。ＨＡＲＱインジケータをａｎ０、ａｎ１、・・・、ａｎＬとする。ｎは、ＨＡＲＱインジケータを送信する単位によって決まる。端末装置毎にＡＣＫ／ＮＡＣＫを送信する場合、ｎは端末装置２０−ｎの上りリンクデータに対するＡＣＫ／ＮＡＣＫである。サブフレーム毎に一括したＡＣＫ／ＮＡＣＫを送信する場合、ｎはサブフレームｎで送信された上りリンクデータに対するＡＣＫ／ＮＡＣＫである。ＬはＨＡＲＱインジケータのビット数である。
【０２０７】
サブフレームｎに対する一括したＡＣＫ／ＮＡＣＫのビット数が２の場合、ＨＡＲＱインジケータ「ａｎ０、ａｎ１」は、第１のＮＡＣＫを「００」、第２のＮＡＣＫを「０１」、ＡＣＫを「１１」と示す。ＨＡＲＱインジケータ「ａｎ０、ａｎ１」において、ａｎ０はＡＣＫ／ＮＡＣＫを示すビット、ａｎ１はＮＡＣＫの種類（又は理由）を示すビットとも云える。例えば、ＮＡＣＫの理由が所定時間リソースにおいて識別された端末装置数に関する情報と関連付けられる場合、ａｎ１＝「０」は端末装置数が閾値以下であることを意味し、ａｎ１＝「１」は、端末装置数が閾値を超えることを意味する。なお、第１のＮＡＣＫ「００」は、スケジューリンググラントに基づいて送信された上りリンクデータに対するＮＡＣＫを含んでもよい。
【０２０８】
拡散符号系列を乗算することで複数ＡＣＫ／ＮＡＣＫを送信する物理再送要求指示チャネルの生成例を説明する。符号部１０３１は、前記ＨＡＲＱインジケータに対してリピティションをしてもよい。例えば、２ビットのＨＡＲＱインジケータ「ａｎ０、ａｎ１」を３回リピティションする場合、第１のＮＡＣＫ、第２のＮＡＣＫ，ＡＣＫは各々、「００００００」、「０１０１０１」「１１１１１１」とリピティションされる。変調部１０３２は、符号部１０３１の出力データに対して、データ変調を行う。例えば、ＱＰＳＫを用いてデータ変調を行う。これにより、複数種類のＮＡＣＫを用いることによるビット数の増加を抑圧することができる（例えば、２ビットのＡＣＫ／ＮＡＣＫは、１ビットでＡＣＫ／ＮＡＣＫを示す場合と同様のビット数にすることができる）。なお、ＡＣＫ／ＮＡＣＫが１ビットで示される場合、基地局装置及び端末装置は、ＮＡＣＫ「０」を前記第１のＮＡＣＫ「００」と、ＡＣＫ「１」をＡＣＫ「１１」とみなして、各処理をしてもよい。
【０２０９】
さらに、変調部１０３２は、前記データ変調後のデータに、所定の系列（拡散系列）を乗算する（前記データ変調後のデータは、所定の系列によって拡散される）。該拡散系列は、直交系列（又は準直交系列）を用いることができる。一括ＡＣＫ／ＮＡＣＫ送信の場合、前記拡散系列は、グラントフリー送信固有の識別子などの多重される端末装置で共通のパラメータと関連付けられうる。該拡散系列を、多重される端末装置に共通のパラメータで生成された識別子と関連付ける。端末装置に共通のパラメータは、上りリンクデータ／識別信号が送信されたサブフレーム番号／スロット番号／シンボル番号／システムフレーム番号／周波数リソースを含むことができる。例えば、拡散系列の生成パラメータは前記端末装置に共通のパラメータを含める。一方、端末装置毎のＡＣＫ／ＮＡＣＫ送信の場合、前記拡散系列は、端末装置固有の識別信号に関するパラメータや端末装置固有の識別子と関連付けられうる。端末装置固有の識別信号に関するパラメータは、識別信号系列（直交系列／準直交系列）、該識別信号系列に施されている位相回転量、巡回遅延量、インターリーブパターン、ＯＣＣなどを含む。端末装置固有の識別子は、各端末装置に割当てられるＣ−ＲＮＴＩやグラントフリーで送信する端末装置固有の識別子などを含む。例え
ば、端末装置毎のＡＣＫ／ＮＡＣＫは、識別信号系列／端末装置固有の識別信号に関するパラメータから生成された系列で拡散される。
【０２１０】
別の態様として、ＣＲＣ付加により物理再送要求指示チャネルを生成する場合を説明する。上位層処理部１０１は、複数のＨＡＲＱインジケータを含む上りリンクデータ再送に関する情報に対して、ＣＲＣパリティビットを付加することができる。ｘをＨＡＲＱインジケータのビット系列、pをＣＲＣパリティビット系列とすると、ＣＲＣ付加後のビット
系列は、「ｘ０、ｘ１、・・・ｘｑ−１、ｐ０、ｐ１、・・・ｐｒ−１」と示される（ｑはＡＣＫ／ＮＡＣＫのトータルビット数、ｒはＣＲＣパリティビット数）。ＨＡＲＱインジケータのビット系列は、各上りリンクデータに対するＡＣＫ／ＮＡＣＫフィールドから構成される。なお、各上りリンクデータに対するＡＣＫ／ＮＡＣＫフィールドは、上りリンクデータ再送に関する情報のビット系列を含むことができる。
【０２１１】
例えば、同一送信タイミングの複数ＡＣＫ／ＮＡＣＫに対して、ＣＲＣパリティビットを付加する。基地局装置は、ＨＡＲＱインジケータｘのビット系列長（又はＡＣＫ／ＮＡＣＫフィールド数）を、上りリンクのサブフレーム数に基づいて設定することができる。一括ＡＣＫ／ＮＡＣＫ送信において、ＨＡＲＱインジケータｘのビット系列長ｑ＝サブフレーム数ｍ×ＨＡＲＱインジケータのビット数Ｌとなる。サブフレーム数ｍ＝１０、ＨＡＲＱインジケータのビット数Ｌ＝２とすると、ｑ＝２０となる。ＣＲＣ付加後のビット系列「ｘ０、ｘ１、ｘ２、ｘ３、・・・、ｘｑ−１、ｐ０、ｑ１、・・・ｑｒ−１」は、「ａ００、ａ０１、ａ１０、ａ１１、ａ２０、ａ２１、ａ３０、ａ３１、・・・、ａ９０、ａ９１、ｐ０、ｑ１、・・・ｑｒ−１」となる。ａｍｌは、上りリンクデータに対するＡＣＫ／ＮＡＣＫビット（ＨＡＲＱインジケータビット）である。ｍは上りリンクデータの送信サブフレーム番号、ｌは各サブフレームの一括ＡＣＫ／ＮＡＣＫを構成するビット番号である。この場合、ＨＡＲＱインジケータｘは、２ビットからなる１０個のＡＣＫ／ＮＡＣＫフィールドを有する。図１２のサブフレーム＃５におけるＡＣＫ／ＮＡＣＫ送信において、ＡＣＫ／ＮＡＣＫ＃１は「ａ１０、ａ１１」に格納される。ＡＣＫ／ＮＡＣＫ＃３は、「ａ３０、ａ３１」に格納される。その他のビット（ａ１０、ａ１１、ａ３０、ａ３１以外）には、ダミービットが格納されてもよい。この場合、端末装置は、上りリンクデータを送信したサブフレーム番号を基に、該上りリンクデータに対するＡＣＫ／ＮＡＣＫを取得する。
【０２１２】
基地局装置は、ＨＡＲＱインジケータｘのビット系列長（又はＡＣＫ／ＮＡＣＫ格納フィールド数）を、上りリンクのシステム帯域幅等によって、設定してもよい。基地局装置は、各上りリンクデータに対するＡＣＫ／ＮＡＣＫの格納フィールドインデックスを、端末装置に、ＲＲＣメッセージ／下りリンク制御チャネル等を用いて、通知することができる。基地局装置は、各端末装置に予め通知した格納フィールドインデックスに従って、各上りリンクデータに対するＡＣＫ／ＮＡＣＫを格納する。例えば、図１３において、ＨＡＲＱインジケータｘの系列は、１０つのＡＣＫ／ＮＡＣＫの格納フィールド（ＡＣＫ／ＮＡＣＫ格納フィールド＃１〜１０）が設定されたとする。基地局装置は、端末装置９〜１４の各々に、ＡＣＫ／ＮＡＣＫの格納フィールドインデックス＃１〜６の通知する（割り当てる）。例えば、図１３のサブフレーム＃５におけるＡＣＫ／ＮＡＣＫ送信において、基地局装置は、端末装置９〜１４各々に予め通知した格納フィールドインデックスに従って、各上りリンクデータに対するＡＣＫ／ＮＡＣＫを格納する。さらに、基地局装置は、端末装置９〜１４に対するＡＣＫ／ＮＡＣＫを格納した系列に対して、ＣＲＣパリティビットを付加する。この場合、端末装置は、基地局装置から通知された格納フィールドインデックスに基に、該上りリンクデータに対するＡＣＫ／ＮＡＣＫを取得する。
【０２１３】
上位層処理部１０１は、上記ＣＲＣパリティビット「ｐ０、ｐ１、・・・ｐｒ−１」をグラントフリー送信固有の識別子と関連付けた系列などの多重される端末装置で共通のパ
ラメータを用いてスクランブル（マスク）する。例えば、図１２、１３において、ＣＲＣパリティビット長＝１６ビット、グラントフリー送信固有の識別子と関連付けた系列＝１＋ＡＣＫ／ＮＡＣＫが送信されるサブフレーム番号の場合、サブフレーム＃５で送信されるＡＣＫ／ＮＡＣＫのＣＲＣパリティビットは、「０００００００００００００１１０」の系列でスクランブルする。
【０２１４】
本実施形態に係る通信システムにおいて、一括ＡＣＫ／ＮＡＣＫは、端末装置毎ＡＣＫ／ＮＡＣＫと異なるパラメータを用いてスクランブルしてもよい。一括ＡＣＫ／ＮＡＣＫの場合、上位層処理部１０１は、ＣＲＣパリティビットを、グラントフリー送信固有の識別子などの多重される端末装置で共通のパラメータを用いてスクランブル（マスク）する。一方、端末装置毎ＡＣＫ／ＮＡＣＫの場合、上位層処理部１０１は、ＣＲＣパリティビットを、端末装置固有の識別信号に関するパラメータや端末装置固有の識別子を用いてスクランブルする。
【０２１５】
ＣＲＣ付加後のビット系列「ｘ０、ｘ１、・・・ｘｑ−１、ｐ０、ｐ１、・・・ｐｒ−１」（ｑは各上りリンクデータに対するＡＣＫ／ＮＡＣＫのビット数、ｒはＣＲＣパリティビット数）において、ＣＲＣパリティビットは、上りリンクデータに対するＡＣＫ／ＮＡＣＫ毎に割当てられてもよい。一括ＡＣＫ／ＮＡＣＫにおいて、サブフレーム＃ｍの上りリンクデータに対するＡＣＫ／ＮＡＣＫは、「ｘ０、ｘ１、・・・ｘｑ−１、ｐ０、ｐ１、・・・ｐｒ−１」＝「ａｍ０、ａｍ１、ａｍ２、ａｍ３、・・・、ａｍ，ｑ−１、ｐ０、ｐ１、・・・、ｐｒ−１」となる（「ａｍ０、ａｍ１、ａｍ２、ａｍ３、・・・、ａｍ，ｑ−１」はサブフレーム＃ｍの上りリンクデータに対するＡＣＫ／ＮＡＣＫ格納フィールド又は／及び該上りリンクデータ再送に関する情報の格納フィールドから構成される）。さらに、パリティビット「ｐ０、ｐ１、・・・ｐｒ−１」は、グラントフリー送信固有の識別子と関連付けた系列などの多重される端末装置で共通のパラメータを用いて、スクランブル（マスク）される。
【０２１６】
例えば、図１３のサブフレーム＃４において送信されるＡＣＫ／ＮＡＣＫのＣＲＣ付加後のビット系列（ＡＣＫ／ＮＡＣＫ格納フィールド又は／及び該上りリンクデータ再送に関する情報の格納フィールドのビット数＝４）は、「ｘ０、ｘ１、ｘ２、ｘ３、ｐ０、ｐ１、・・・ｐｒ−１」＝「ａ００、ａ０１、ａ０２、ａ０３、ｐ０、ｐ１、・・・ｐｒ−１」である。この場合、「ｐ０、ｐ１、・・・ｐｒ−１」は、サブフレーム＃４から生成された系列「０００００００００００００１０１」でスクランブルする。
【０２１７】
端末装置毎のＡＣＫ／ＮＡＣＫにおいて、端末装置２０−ｎの上りリンクデータＵＥｎに対するＡＣＫ／ＮＡＣＫは、「ｘ０、ｘ１、・・・ｘｑ−１、ｐ０、ｐ１、・・・ｐｒ−１」＝「ａｎ０、ａｎ１、ａｎ２、ａｎ３、・・・、ａｎ（ｑ−１）、ｐ０、ｑ１、・・・ｑｒ−１」となる（「ａｎ０、ａｎ１、ａｎ２、ａｎ３、・・・、ａｎ（ｑ−１）」は、端末装置２０−ｎの上りリンクデータに対するＡＣＫ／ＮＡＣＫ格納フィールド又は／及び該上りリンクデータ再送に関する情報の格納フィールドから構成される）。すなわち、端末装置毎にＣＲＣパリティビットが付加される。さらに、パリティビット「ｐ０、ｐ１、・・・ｐｒ−１」は、各端末装置固有のパラメータを用いて、スクランブル（マスク）される。
【０２１８】
例えば、図１３のサブフレーム＃５において、端末装置２０−９に対するＡＣＫ／ＮＡＣＫ（ＡＣＫ／ＮＡＣＫ＃１−９）のＣＲＣ付加後のビット系列（ＡＣＫ／ＮＡＣＫ格納フィールド又は／及び該上りリンクデータ再送に関する情報の格納フィールドのビット数＝４）は、「ｘ０、ｘ１、ｘ２、ｘ３、ｐ０、ｐ１、・・・ｐｒ−１」＝「ａ９０、ａ９１、ａ９２、ａ９３、ｐ０、ｐ１、・・・ｐｒ−１」である。この場合、パリティビット「ｐ０、ｐ１、・・・ｐｒ−１」は、ＡＣＫ／ＮＡＣＫ＃１−９の識別信号系列を用いて
、スクランブルされる。サブフレーム＃５において、端末装置２０−１０〜端末装置２０−１４に対するＡＣＫ／ＮＡＣＫも、同様に、端末装置毎にＣＲＣパリティビットが付加される。
【０２１９】
別の態様として、本実施形態に係る通信システムが、複数種類のＮＡＣＫを用いたＨＡＲＱインジケータを、１ビットで示す場合を説明する。複数種類のＮＡＣＫを用いたＨＡＲＱインジケータにおいて、第１のＮＡＣＫ及び第２のＮＡＣＫは「０」、ＡＣＫは「１」で示される。拡散符号系列を乗算することで複数ＡＣＫ／ＮＡＣＫを送信する物理再送要求指示チャネルにおいて、第１のＮＡＣＫ及び第２のＮＡＣＫは、乗算されている拡散符号系列で区別される。
【０２２０】
変調部１０３２は、第１のＮＡＣＫと第２のＮＡＣＫで異なる拡散系列を用いる。例えば、第１のＮＡＣＫは、端末装置固有の識別信号に関するパラメータや端末装置固有の識別子と関連付けられた拡散符号系列を用いて、拡散される。第２のＮＡＣＫは、端末装置に共通のパラメータと関連づけられた拡散符号を用いて、拡散される。
【０２２１】
ＣＲＣ付加により生成される物理再送要求指示チャネルにおいて、第１のＮＡＣＫ及び第２のＮＡＣＫは、ＣＲＣパリティビットをスクランブル（排他的論理和演算、マスク）する識別子で区別される。例えば、第１のＮＡＣＫは端末装置固有の識別信号に関するパラメータや端末装置固有の識別子を用いて、スクランブルされる。第２のＮＡＣＫは、グラントフリー送信固有の識別子などの多重される端末装置で共通のパラメータを用いてスクランブルされる。
【０２２２】
物理再送要求指示チャネルは、第１のＮＡＣＫと第２のＮＡＣＫで、拡散符号系列を乗算することで複数ＡＣＫ／ＮＡＣＫを送信する物理再送要求指示チャネルを用いるか、ＣＲＣ付加により生成される複数ＡＣＫ／ＮＡＣＫを送信する物理再送要求指示チャネルを用いるか、を設定されてもよい。
【０２２３】
次に、各種ＮＡＣＫに対して再送される上りリンクデータについて説明する。端末装置は、上りリンクデータ（初送）に対して、ＡＣＫ／ＮＡＣＫを受信する（図３のＳ２０５）。端末装置は、第１のＮＡＣＫを受信した場合、上りリンクデータ（初送）に関連するデータを再度送信する（図３のＳ２０６）。上りリンクデータに関連するデータは、初送で送信した上りリンクデータ（初送で送信したデータビット及びパリティビット）と同一でもよいし、初送で送信していないデータ（初送で送信していないデータビット及びパリティビット）でもよい。また、上りリンクデータに関連するデータは、初送で送信した上りリンクデータと初送で送信していないデータの両方を含むデータでもよい。この場合、再送を受信した基地局装置は、上りリンクデータ（初送）と上りリンクデータ（再送）を用いて、信号検出処理を行う。前記検出処理において、基地局装置は、Ｃｈａｓｅ合成、ＩＲ（Incremental Redundancy）を用いることができる。
【０２２４】
端末装置は、第２のＮＡＣＫを受信した場合、その上りリンクデータと同一のデータ（初送で送信したデータビット及びパリティビット）を再度送信する（図３のＳ２０６）。該上りリンクデータ（再送）は、初送で送信したデータビット並びにパリティビット及び初送で送信していないデータビット並びにパリティビットの両方を含むデータでもよい。この場合、再送を受信した基地局装置は、上りリンクデータ（初送）を用いて、信号検出処理を行う。
【０２２５】
次に、各種ＮＡＣＫに対する上りリンクデータの再送タイミングについて説明する。基地局装置は、システムインフォメーション／ＲＲＣメッセージ／下りリンク制御情報として、上りリンクデータの再送タイミングを示す情報を端末装置に送信する（図３のＳ２０
３）。基地局装置は、再送タイミングを示す情報を、物理再送要求指示チャネルを用いて、端末装置に送信することもできる（図３のＳ２０５）。例えば、上りリンクデータの再送タイミングを示す情報は、基準時間と基準時間に対するオフセット値で設定される。
【０２２６】
図３のＳ２０５において、第１のＮＡＣＫを受信した端末装置は、基準時間に従って（すなわち、オフセット値＝０）、上りリンクデータを再送する（Ｓ２０６）。一方、第２のＮＡＣＫを受信した端末装置は、基準時間＋選択したオフセット値で求められる再送間隔で上りリンクデータを再送する（Ｓ２０６）。前記オフセット値の選択は、端末装置がランダムに選択してもよいし、基地局装置が指示しても良い。
【０２２７】
以上のように、本実施形態に係る通信システムは、ＮＡＣＫを送信する理由によって、複数種類のＮＡＣＫを定義する。例えば、ＮＡＣＫの種類は、基地局装置が収容可能な端末装置数等と関連付けられる。これにより、基地局装置が上りリンクデータ送信されるリソースを予めスケジューリングできないグラントフリーの多元接続において、基地局装置及び端末装置は、上りリンクデータの多重状況を考慮して、効率的に再送制御することができる。
【０２２８】
（第５の実施形態）
本実施形態は、グラントフリー送信の上りリンクデータとスケジューリンググラントに基づいて送信された上りリンクデータが、重複する時間リソース及び周波数リソースで送信された場合において、複数種類の否定応答（ＮＡＣＫ）を用いる例である。本実施形態に係る通信システムは、図１〜図１４で説明した基地局装置１０及び端末装置２０で構成される。以下、第１の実施形態〜第４の実施形態との相違点／追加点を主に説明する。
【０２２９】
図１５は、本実施形態に係る上りリンクデータに対するＡＣＫ／ＮＡＣＫ送信の例を示す図である。ＵＥ１〜ＵＥ１５は各々、端末装置２０−１〜端末装置２０−１５が送信した上りリンクデータである。ＡＣＫ／ＮＡＣＫ＃ｍ−ｎは、サブフレーム＃ｍで受信したＵＥ＃ｎに対するＡＣＫ／ＮＡＣＫである。ＵＥ１及びＵＥ９は、スケジューリンググラントに基づいて送信された上りリンクデータである（左上がり斜線部）。ＵＥ２〜ＵＥ８、ＵＥ１０〜ＵＥ１５は、グラントフリーにより送信された上りリンクデータである。ＮＡＣＫの種類に関する閾値設定において、アンテナ本数と端末装置の受信能力が用いられる場合を説明する。ここで、基地局装置１０の受信アンテナ数が２本、端末装置２０の送信アンテナ数が１本とする。前記端末装置数の閾値は、２×α（αは受信能力で設定される係数）とする。以下、基地局装置がα＝３と設定した場合である（閾値＝６）で説明する。
【０２３０】
図１５では、サブフレーム＃０において、ＵＥ１〜ＵＥ８の８つの上りリンクデータが送信されている。基地局装置は、サブフレーム＃０において、スケジューリンググラントに基づいて送信されたＵＥ１を受信する。さらに、基地局装置は、サブフレーム＃０において、識別信号により、ＵＥ２〜ＵＥ８の７つの端末装置を識別する。（基地局装置は、サブフレーム＃０において、グラントフリー送信の端末装置の多重数を７と認識する）。さらに、基地局装置は、上りリンクデータＵＥ１〜ＵＥ８に対して、信号検出部１０４３において、信号検出処理を行う。基地局装置は、上りリンクデータＵＥ１〜ＵＥ８の各々の検出結果に基づいて、端末装置毎にＡＣＫ／ＮＡＣＫを送信するＡＣＫ／ＮＡＣＫ＃０‐１〜ＡＣＫ／ＮＡＣＫ＃０‐８）。
【０２３１】
基地局装置は、スケジューリンググラントに基づいて送信されたＵＥ１に誤りがある場合、該端末装置に第１のＮＡＣＫを送信する（網掛け部）。一方、グラントフリー送信の端末装置の多重数（＝７）が前記閾値（＝６）を超えている。このため、グラントフリー送信された上りリンクデータＵＥ２〜ＵＥ８の検出結果に誤りがある場合、基地局装置は
、該端末装置に第２のＮＡＣＫ（右上がり斜線部）を送信する。
【０２３２】
サブフレーム＃１において、ＵＥ９〜ＵＥ１５の７つの上りリンクデータが送信されている。基地局装置は、サブフレーム＃１において、スケジューリンググラントに基づいて送信されたＵＥ９を受信する。さらに、基地局装置は、サブフレーム＃１において、識別信号により、ＵＥ１０〜ＵＥ１５の６つの端末装置を識別する。（基地局装置は、サブフレーム＃１において、グラントフリー送信の端末装置の多重数を６と認識する）。さらに、基地局装置は、端上りリンクデータＵＥ９〜ＵＥ１５に対して、信号検出部１０４３において、信号検出処理を行う。基地局装置は、上りリンクデータＵＥ９〜ＵＥ１５の各々の検出結果に基づいて、端末装置毎にＡＣＫ／ＮＡＣＫを送信するＡＣＫ／ＮＡＣＫ＃１‐９〜ＡＣＫ／ＮＡＣＫ＃１‐１５）。
【０２３３】
基地局装置は、スケジューリンググラントに基づいて送信されたＵＥ９に誤りがある場合、該端末装置に、第１のＮＡＣＫを送信する（網掛け部）。一方、グラントフリー送信の端末装置の多重数（＝６）が前記閾値（＝６）以下である。このため、グラントフリー送信された上りリンクデータＵＥ１０〜ＵＥ１５の検出結果に誤りがある場合、基地局装置は、該端末装置に、第１のＮＡＣＫを送信する（網掛け部）を送信する。
【０２３４】
以上のように、本実施形態に係る通信システムは、基地局装置が収容可能な端末装置数と関連付けて、複数種類ＮＡＣＫを定義する。基地局装置は、グラントフリー送信の上りリンクデータとスケジューリンググラントに基づいて送信された上りリンクデータを同一時間リソース及び周波数リソースで受信した場合、グラントフリー送信の上りリンクデータの送信端末数を基に、返信するＮＡＣＫの種類を判断する。これにより、基地局装置及び端末装置は、上りリンクデータの多重状況を考慮して、効率的に再送制御することができる。
【０２３５】
さらに、基地局装置は、グラントフリー送信の上りリンクデータの検出処理において、スケジューリンググラントに基づいて送信された上りリンクデータを用いて、ターボ等化等を適用できる。これにより、基地局装置が上りリンク送信リソースを予めスケジューリングできないグラントフリー送信のデータの検出精度を向上することができる。
【０２３６】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２３７】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０２３８】
さらに「コンピュータが読み取り可能な記録媒体」とは、インターネット等のネットワークや電話回線等の通信回線を介してプログラムを送信する場合の通信線のように、短時
間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２３９】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２４０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２４１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２４２】
本発明は、基地局装置、端末装置および通信方法に用いて好適である。
【符号の説明】
【０２４３】
１０  基地局装置
２０−１〜２０−ｎ  端末装置
１０ａ  基地局装置１０が端末装置と接続可能な範囲
１０１  上位層処理部
１０２  制御部
１０３  送信部
１０４  受信部
１０５  送信アンテナ
１０６  受信アンテナ
１０３１  符号化部
１０３２  変調部
１０３３  下りリンク参照信号生成部
１０３４  多重部
１０３５  無線送信部
１０４１  無線受信部
１０４２  多重分離部
１０４３  信号検出部
１０４４  伝搬路推定部
１０４５  識別部
１５０１  キャンセル部
１５０２  等化部
１５０３−１〜１５０３−ｕ  ＩＤＦＴ部
１５０４−１〜１５０３−ｕ  復調部
１５０５−１〜１５０３−ｕ  復号部
１５０６  レプリカ生成部
２０１  上位層処理部
２０２  制御部
２０３  送信部
２０４  受信部
２０５  送信アンテナ
２０６  受信アンテナ
２０３１  符号化部
２０３２  変調部
２０３３  上りリンク参照信号生成部
２０３４  多重部
２０３５  無線送信部
２０３６  識別信号生成部
２０４１  無線受信部
２０４２  多重分離部
２０４３  復調部
２０４４  復号部
【図１】
2019145855.tif 000003
【図２】
2019145855.tif 000004
【図３】
2019145855.tif 000005
【図４】
2019145855.tif 000006
【図５】
2019145855.tif 000007
【図６】
2019145855.tif 000008
【図７】
2019145855.tif 000009
【図８】
2019145855.tif 000010
【図９】
2019145855.tif 000011
【図１０】
2019145855.tif 000012
【図１１】
2019145855.tif 000013
【図１２】
2019145855.tif 000014
【図１３】
2019145855.tif 000015
【図１４】
2019145855.tif 000016
【図１５】
2019145855.tif 000017